(57)【特許請求の範囲】
【請求項１】
基板と、前記基板上に記録ピットを３次元的に記録可能な記録部とを有する情報記録媒体であって、
前記記録部は、波長λ２を有する記録光を集光することにより前記記録ピットが記録され、前記波長λ２より短い波長λ１を有する再生光を集光することにより前記記録ピットが再生される複数の記録層と、前記記録層と交互に積層された中間層とを有し、
記録光波長λ２に対する記録層の未記録領域の反射率が、再生光波長λ１に対する記録層の未記録領域の反射率よりも小さい情報記録媒体。
【請求項２】
前記記録層は、フォトクロミック材料を含む請求項１に記載の情報記録媒体。
【請求項３】
前記記録光及び再生光は、下記(i)〜(iv)のいずれか１つの再生光波長λ１及び記録光波長λ２の関係を満たす請求項１に記載の情報記録媒体。
(i)０．６μｍ≦λ１≦０．７μｍ、０．７３μｍ≦λ２≦０．８３μｍ
(ii)０．３５μｍ≦λ１≦０．４５μｍ、０．６μｍ≦λ２≦０．７μｍ
(iii)０．４８μｍ≦λ１≦０．５８μｍ、０．６μｍ≦λ２≦０．７μｍ
(iv)０．３５μｍ≦λ１≦０．４５μｍ、０．４８μｍ≦λ２≦０．５８μｍ
【請求項４】
前記記録層の膜厚ｔは、記録層の膜厚に対する記録層の未記録領域における再生光の反射率の変位と、記録層の膜厚に対する記録層の未記録領域における記録光の反射率の変位との関係を示す下記式（１）の条件を満たす請求項１に記載の情報記録媒体。
ｒ１ｍａｘ［１−ｃｏｓ（４ｎπｔ／λ１）］／２＞ｒ２ｍａｘ［１−ｃｏｓ（４ｎπｔ／λ２）］／２    （１）
ただし、λ１は再生光波長、λ２は記録光波長、ｎは記録層の未記録領域の屈折率、ｔは記録層の膜厚、ｒ１ｍａｘはλ１に対する記録層の未記録領域の最大反射率、及びｒ２ｍａｘはλ２に対する記録層の未記録領域の最大反射率である。
【請求項５】
前記記録層の膜厚ｔは、前記記録層の膜厚に対する記録層の未記録領域における再生光の反射率の変位と、前記記録層の膜厚に対する記録層の未記録領域における記録光の反射率の変位とが一致する記録層の膜厚ｔｉと、以下の式（２）の条件を満たす請求項４記載の情報記録媒体。
ｔ２ｉ＜ｔ＜ｔ２ｉ＋１    （２）
ただし、ｔｉは、０以上であり、ｉは０以上の任意の整数で、０≦ｔｉ＜ｔｉ＋１である。
【請求項６】
前記ｒ１ｍａｘと、前記ｒ２ｍａｘとが実質的に同じである請求項４に記載の情報記録媒体。
【請求項７】
前記中間層の屈折率と前記記録層の未記録領域の屈折率の差が、前記中間層の屈折率と前記記録層の記録済領域の屈折率の差より大きく、
前記記録層の膜厚ｔが、下記の式（３）の条件を満たす請求項１に記載の情報記録媒体。
（ｐ−０．３６９）λ１／（４ｎ）≦ｔ≦（ｐ＋０．３６９）λ１／（４ｎ）    （３）
ただし、λ１は再生光波長、λ２は記録光波長、ｔは記録層の膜厚、ｎは記録層の未記録領域の屈折率、及びｐは任意の正の奇数である。
【請求項８】
前記中間層の屈折率と前記記録層の未記録領域の屈折率の差が、前記中間層の屈折率と前記記録層の記録済領域の屈折率の差より小さく、
前記記録層の膜厚ｔが、下記の式（４）の条件を満たす請求項１に記載の情報記録媒体。
（ｐ−０．３６９）λ１／（４ｎ１）≦ｔ≦（ｐ＋０．３６９）λ１／（４ｎ１）  （４）
ただし、λ１は再生光波長、λ２は記録光波長、ｔは記録層の膜厚、ｎ１は記録層の記録済領域の屈折率、及びｐは任意の正の奇数である。
【請求項９】
前記記録層の膜厚ｔが、下記の式（５）の条件を満たす請求項１に記載の情報記録媒体。
（ｑ−０．１０４）λ２／（４ｎ）≦ｔ≦（ｑ＋０．１０４）λ２／（４ｎ）    （５）
ただし、λ２は記録光波長、ｔは記録層の膜厚、ｎは記録層の未記録領域の屈折率、及びｑは任意の正の偶数である。
【請求項１０】
前記記録層の膜厚は、０．６μｍ以下である請求項１に記載の情報記録媒体。
【請求項１１】
ｉは、１〜３のいずれかである請求項５に記載の情報記録媒体。
【請求項１２】
前記中間層の屈折率と前記記録層の未記録領域の屈折率との差、または、前記中間層の屈折率と前記記録層の記録済領域の屈折率との差が、０．０５以上である請求項１に記載の情報記録媒体。
【請求項１３】
前記記録光及び再生光が下記(i)〜(iv)のいずれか１つの再生光波長λ１及び記録光波長λ２の関係を有するとき、前記記録層の膜厚ｔは、それぞれ下記の式（６）〜（１１）の条件を満たす請求項１に記載の情報記録媒体。
(i)０．６μｍ≦λ１≦０．７μｍ、０．７３μｍ≦λ２≦０．８３μｍのとき、
３．９０λ２／（４ｎ）≦ｔ≦４．１０λ２／（４ｎ）    （６）
(ii)０．３５μｍ≦λ１≦０．４５μｍ、０．６μｍ≦λ２≦０．７μｍのとき、
１．９０λ２／（４ｎ）≦ｔ≦２．１０λ２／（４ｎ）    （７）
または、３．９０λ２／（４ｎ）≦ｔ≦４．１０λ２／（４ｎ）    （８）
(iii)０．４８μｍ≦λ１≦０．５８μｍ、０．６μｍ≦λ２≦０．７μｍのとき、
３．９０λ２／（４ｎ）≦ｔ≦４．１０λ２／（４ｎ）    （９）
(iv)０．３５μｍ≦λ１≦０．４５μｍ、０．４８μｍ≦λ２≦０．５８μｍのとき、
１．９０λ２／（４ｎ）≦ｔ≦２．１０λ２／（４ｎ）    （１０）
または、３．９０λ２／（４ｎ）≦ｔ≦４．１０λ２／（４ｎ）    （１１）
ただし、式（６）〜（１１）中、λ１は再生光波長、λ２は記録光波長、ｎは記録層の未記録領域の屈折率、ｔは記録層の膜厚である。
【請求項１４】
記録光を出射する第１の光源と、
前記記録光の波長より短い波長を有する再生光を出射する第２の光源と、
前記第１及び第２の光源から出射された記録光及び再生光を請求項１に記載の情報記録媒体に集光する対物レンズと、
前記情報記録媒体からの反射光を検出する光検出器と、を備えた光学情報記録再生装置であって、
記録時に、前記記録光が集光される記録層の光学定数の変化を利用することにより記録ピットを記録し、
再生時に、前記再生光の記録層からの反射光を利用することによりフォーカスサーボを行ない、且つ、前記記録層の光学定数の変化に基づく反射率の違いを利用することにより前記記録ピットを再生する光学情報記録再生装置。
【請求項１５】
前記記録時に、前記記録光の記録層からの反射光を利用することによりフォーカスサーボを行なう請求項１４に記載の光学情報記録再生装置。
【請求項１６】
前記記録時に、前記記録光と前記再生光の両方を出射させて、前記再生光の記録層からの反射光を利用してフォーカスサーボを行なう請求項１４に記載の光学情報記録再生装置。
【請求項１７】
前記記録光を出射する光源は、パルス幅が１００フェムト秒から１０ナノ秒のパルス光を発するレーザ光源である請求項１４に記載の光学情報記録再生装置。
【請求項１８】
前記記録ピットは、２光子吸収、多光子吸収、プラズマ吸収過程等の非線形吸収現象により記録される請求項１４に記載の光学情報記録再生装置。
【請求項１９】
前記記録光及び再生光が、下記(i)〜(iv)のいずれか１つの再生光波長λ１及び記録光波長λ２の関係を有するとき、前記情報記録媒体の記録層の膜厚ｔは、それぞれ下記の式（１２）〜（１７）の条件を満たす請求項１６に記載の光学情報記録再生装置。
(i)０．６μｍ≦λ１≦０．７μｍ、０．７３μｍ≦λ２≦０．８３μｍのとき、
３．９０λ２／（４ｎ）≦ｔ≦４．１０λ２／（４ｎ）    （１２）
(ii)０．３５μｍ≦λ１≦０．４５μｍ、０．６μｍ≦λ２≦０．７μｍのとき、
１．９０λ２／（４ｎ）≦ｔ≦２．１０λ２／（４ｎ）    （１３）
または、３．９０λ２／（４ｎ）≦ｔ≦４．１０λ２／（４ｎ）    （１４）
(iii)０．４８μｍ≦λ１≦０．５８μｍ、０．６μｍ≦λ２≦０．７μｍのとき、
３．９０λ２／（４ｎ）≦ｔ≦４．１０λ２／（４ｎ）    （１５）
(iv)０．３５μｍ≦λ１≦０．４５μｍ、０．４８μｍ≦λ２≦０．５８μｍのとき、
１．９０λ２／（４ｎ）≦ｔ≦２．１０λ２／（４ｎ）    （１６）
または、３．９０λ２／（４ｎ）≦ｔ≦４．１０λ２／（４ｎ）    （１７）
ただし、式（１２）〜（１７）中、λ１は再生光波長、λ２は記録光波長、ｎは記録層の未記録領域の屈折率、ｔは記録層の膜厚である。
【請求項２０】
対物レンズで集光される記録光が既に記録された記録ピットを通過しないように、前記記録ピットを３次元的に記録する請求項１４に記載の光学情報記録再生装置。
【請求項２１】
前記情報記録媒体の記録部において、対物レンズから最も離れた記録層から記録ピットを記録する請求項１４に記載の光学情報記録再生装置。
【請求項２２】
記録光を出射する第１の光源と、
前記記録光の波長より短い波長を有する再生光を出射する第２の光源と、
前記第１及び第２の光源から出射された記録光及び再生光を請求項１に記載の情報記録媒体に集光する対物レンズと、
前記情報記録媒体からの反射光を検出する光検出器と、を備えた光学情報記録再生装置であって、
記録時に、前記記録光の記録層からの反射光を利用することによりフォーカスサーボを行い、且つ、前記記録光が集光される記録層の光学定数の変化を利用することにより記録ピットを記録するか、または
記録時に、前記記録光と前記再生光の両方を出射させて、前記再生光の記録層からの反射光を利用してフォーカスサーボを行ない、且つ、前記記録光が集光される記録層の光学定数の変化を利用することにより記録ピットを記録する光学情報記録再生装置。
【発明の詳細な説明】
【技術分野】
【０００１】
本発明は、情報ビットである記録ピットを３次元的に記録可能な情報記録媒体及び光学情報記録再生装置に関する。特に、フォーカスサーボ用の反射光を確保しつつ、対物レンズから離れた下層に位置する記録層でも記録光の光量の低下が小さく、高精度に良好な記録/再生が可能な情報記録媒体、及びその情報記録媒体の記録再生に用いられる光学情報記録再生装置に関する。
【背景技術】
【０００２】
光学的な情報記録媒体として、ＣＤ（コンパクトディスク）、ＤＶＤ（デジタル多用途ディスク）等の光ディスクや光カードメモリ等が利用されている。
【０００３】
記録情報のさらなる大容量化を実現するために、図２０に示されるような、３次元的に複数の記録層１０１が積層形成された情報記録媒体が非特許文献１に記載されている。
【０００４】
この情報記録媒体１２１は、ガラスの透明基板１０４と、該透明基板１０４上に、フォトンモード記録材料であるウレタンーウレア共重合体材料を用いた記録層１０１ａ〜１０１ｄと、ＰＶＡ（ポリビニルアルコール）膜とＰＭＭＡ（ポリメチルメタアクリレート）膜からなる中間層１０２ａ〜１０２ｃとが交互に積層されて形成されている。
【０００５】
記録時においては、記録用光源１２０ａのＴｉサファイアレーザから出射された波長０．７９０μｍのピークパワの大きな記録光１２２ａが、ビームスプリッタ１１８ａを通過し、ビームエキスパンダー１２３により、ビーム径を拡大され、さらに、ビームスプリッタ１１８ｂを通過し、対物レンズ１０６により、３次元的に記録再生可能な多層の情報記録媒体１２１の所望の記録層１０１ｃに集光される（収束光１０７）。このような収束光１０７が集光されると、２光子吸収過程等のような非線形現象により、光のパワ密度の高い部分（集光点及びその近傍）のみが波長が半分になったような吸収が生じ、記録ピット１０５が記録される。従って、記録層が増加しても、他の記録層は記録光に対して略透明であり、所定の記録位置のみで２光子吸収が生じるため、記録光の減衰が抑えられ、下層に位置する記録層でも十分な記録が行なわれる。
【０００６】
一方、再生時においては、再生用光源１２０ｂのＨｅ−Ｎｅレーザから出射された波長０．６３２８μｍのピークパワの小さい再生光１２２ｂが、同じく対物レンズ１０６により、所望の記録層１０１ｃの記録ピット１０５に集光される（収束光１０７）。そして、反射された光はビームスプリッタ１１８ｂでＹ軸方向に曲げられて、検出レンズ１１１で集光され、検出レンズ１１１の集光点に配置されたピンホール１１４を通過して、光検出器１１９で検出されることにより、信号が再生される。
【０００７】
ところで、非特許文献１では検討されていないが、従来の光ディスク記録再生装置においては、記録時あるいは再生時において、光源からの記録光あるいは再生光が対物レンズを通してディスク上に正確に焦点を結ぶようにフォーカスサーボが行われている。このため、非特許文献１のように２光子吸収記録等の非線形記録により記録された記録ピット１０５が記録再生される場合にも、フォーカスサーボを行なうことが望ましい。すなわち、記録光１２２ａあるいは再生光１２２ｂが情報記録媒体１２１に照射された際に、記録層１０１から一定の反射光が得られれば、その反射光をフォーカスサーボ用の光として利用することにより正確に所望の記録層１０１ｃに集光することができる。
【０００８】
しかしながら、本発明者等の検討によれば、上記のようなフォーカスサーボが非特許文献１に記載されているような３次元記録可能な情報記録媒体１２１で行なわれる場合、次のような問題があると考えられた。
【０００９】
すなわち、情報記録媒体１２１の記録時または再生時に正確に所望の記録層１０１ｃに記録光または再生光を集光するためには、記録光波長と再生光波長のどちらに対しても各記録層１０１で一定強度のフォーカスサーボ用の反射光が必要とされる。
【００１０】
ところが、情報記録媒体１２１は３次元的に記録ピットを形成するために複数の記録層１０１が積層されている。このため、記録層１０１の層数が多い場合には、記録光及び再生光は所望の記録層１０１ｃだけでなく各記録層１０１でも反射及び吸収が生ずる。この各記録層１０１での反射及び吸収により、対物レンズから最も離れた最下層（図２０では１０１ｄ）に至るまでに記録光及び再生光の光量が低下する。従って、記録光あるいは再生光を用いてフォーカスサーボ用の反射光を得ようとすれば、記録光あるいは再生光の透過量の減少をもたらすこととなり、２光子吸収過程のような大きな光量を必要とする記録では下層の記録層に至るに従って良好な記録ピットが形成できないという問題が生じる。具体的には、２光子吸収記録、多光子吸収記録やプラズマ吸収記録等のような非線形記録が利用される場合では、特に、記録時に、通常の１光子吸収記録に比べて、光量の低下に伴って著しく記録感度が低下する。この記録感度の低下は、例えば、２光子吸収記録の場合では、記録感度が光量の２乗特性（ｎ光子記録ではｎ乗特性）に比例することに起因するためである。例えば、記録光の光量が０．８倍となると、通常の１光子吸収記録では記録感度は０．８倍に低下するが、２光子吸収記録では、記録感度はその２乗の０．６４倍に低下する。このため、非特許文献１のような従来の情報記録媒体ではフォーカスサーボ用の反射光を確保しながら、下層の記録層まで記録時に十分な光量を確保することが困難となる。この場合、記録用光源のパワを記録層の位置によって調整することも考えられるが、非線形記録は、ピークパワの高い、例えば、数１００ｍＷ〜１Ｗ以上のピークパワを有する半導体レーザを記録用光源として必要とするため、現実的に高出力方向への光源のパワ調整の余裕がほとんどない。従って、記録部に３次元的に記録ピットを記録するために下層の記録層を記録するとき、記録用光源のパワを上層の記録層を記録するときのパワより上げることは困難である。このため、記録時のパワ調整が不要、もしくは小さいパワ調整で良好な記録が可能な情報記録媒体が望ましい（例えば、調整量は、３割以内が望ましい）。
【非特許文献１】
川田善正他：”多層膜構造を有する有機記録媒体を用いた３次元光メモリ”、  Ｏｐｔｉｃｓ Ｊａｐａｎ ２０００  講演予稿集  ｐｐ．９５−９６（２０００年）
【発明の開示】
【発明が解決しようとする課題】
【００１１】
本発明は、上記従来技術における課題を解決するためになされたものであり、特に、フォーカスサーボ用の反射光を確保しつつ、対物レンズから離れた下層の記録層に対しても記録光の光量の低下が小さく、高精度に良好な記録再生が可能な情報記録媒体及び光学情報記録再生装置を提供することを目的とする。
【課題を解決するための手段】
【００１２】
本発明の一局面は、基板と、前記基板上に記録ピットを３次元的に記録可能な記録部とを備えた情報記録媒体であって、前記記録部は、波長λ２を有する記録光を集光することにより前記記録ピットが記録され、前記波長λ２より短い波長λ１を有する再生光を集光することにより前記記録ピットが再生される複数の記録層と、前記記録層と交互に積層された中間層とを有し、記録光波長λ２に対する記録層の未記録領域の反射率が、再生光波長λ１に対する記録層の未記録領域の反射率よりも小さい情報記録媒体である。
【００１３】
本発明の目的、特徴、局面、及び利点は、以下の詳細な説明と添付図面とによって、より明白となる。
【発明の効果】
【００１４】
以上説明されたように、本発明の一局面は、基板と、前記基板上に記録ピットを３次元的に記録可能な記録部とを備えた情報記録媒体であって、前記記録部は、波長λ２を有する記録光を集光することにより前記記録ピットが記録され、前記波長λ２より短い波長λ１を有する再生光を集光することにより前記記録ピットが再生される複数の記録層と、前記記録層と交互に積層された中間層とを有し、記録光波長λ２に対する記録層の未記録領域の反射率が、再生光波長λ１に対する記録層の未記録領域の反射率よりも小さい情報記録媒体である。上記構成によれば、フォーカスサーボ用の反射光を確保しつつ、対物レンズから離れた最下層の記録層に対しても記録光の光量の低下が小さく高精度に良好な記録再生が可能な情報記録媒体が実現される。
【００１５】
本発明において、前記記録層は、フォトクロミック材料を含むことが好ましい。上記構成によれば、最下層の記録層においても記録光量が十分確保されるため、光量によって記録感度が影響されるフォトクロミック材料であっても非線形現象によって良好な記録が行われる。
【００１６】
本発明において、前記記録光及び再生光は、下記(i)〜(iv)のいずれか１つの再生光波長λ１及び記録光波長λ２の関係を満たすことが好ましい。
【００１７】
(i)０．６μｍ≦λ１≦０．７μｍ、０．７３μｍ≦λ２≦０．８３μｍ
(ii)０．３５μｍ≦λ１≦０．４５μｍ、０．６μｍ≦λ２≦０．７μｍ
(iii)０．４８μｍ≦λ１≦０．５８μｍ、０．６μｍ≦λ２≦０．７μｍ
(iv)０．３５μｍ≦λ１≦０．４５μｍ、０．４８μｍ≦λ２≦０．５８μｍ
上記記録光及び反射光の関係を満たせば、記録光波長より短い波長を有する再生光波長が利用されるため、フォーカスサーボ用の反射光を確保しつつ、良好な記録が可能となる。また、非線形吸収現象を利用して記録される記録ピットの大きさは１光子吸収記録のそれに比べて小さくなるため、上記関係の記録光及び再生光が使用されると、記録時と再生時の実質的なスポット径が同程度に近づき、記録及び再生の最適化もしくは高密度化が図られる。
【００１８】
本発明において、前記記録層の膜厚ｔは、記録層の膜厚に対する記録層の未記録領域における再生光の反射率の変位と、記録層の膜厚に対する記録層の未記録領域における記録光の反射率の変位との関係を示す下記式（１）の条件を満たすことが好ましい。
【００１９】
ｒ１ｍａｘ［１−ｃｏｓ（４ｎπｔ／λ１）］／２＞ｒ２ｍａｘ［１−ｃｏｓ（４ｎπｔ／λ２）］／２    （１）
ただし、λ１は再生光波長、λ２は記録光波長、ｎは記録層の未記録領域の屈折率、ｔは記録層の膜厚、ｒ１ｍａｘはλ１に対する記録層の未記録領域の最大反射率、及びｒ２ｍａｘはλ２に対する記録層の未記録領域の最大反射率である。
【００２０】
上記構成によれば、未記録領域において再生光の反射率が記録光のそれよりも高い記録層が得られるため、フォーカスサーボ用の反射光を確保しつつ、良好な記録が可能となる。
【００２１】
本発明において、上記の反射率の関係を満たす記録層の膜厚ｔは、前記記録層の膜厚に対する記録層の未記録領域におけるλ１の反射率の変位と、前記記録層の膜厚に対する記録層の未記録領域におけるλ２の反射率の変位とが一致する記録層の膜厚ｔｉと、以下の式（２）の条件を満たす範囲が好ましい。
【００２２】
ｔ２ｉ＜ｔ＜ｔ２ｉ＋１    （２）
ただし、ｔｉは、０以上であり、ｉは０以上の任意の整数で、０≦ｔｉ＜ｔｉ＋１である。
【００２３】
また、本発明において、波長分散による屈折率の差が小さい場合には、前記ｒ１ｍａｘと、前記ｒ２ｍａｘとは実質的に同じとみなすことができる。
【００２４】
本発明において、前記中間層の屈折率と前記記録層の未記録領域の屈折率の差が、前記中間層の屈折率と前記記録層の記録済領域の屈折率の差より大きく、前記記録層の膜厚ｔが、下記の式（３）の条件を満たすことが好ましい。
【００２５】
（ｐ−０．３６９）λ１／（４ｎ）≦ｔ≦（ｐ＋０．３６９）λ１／（４ｎ）  （３）
ただし、λ１は再生光波長、λ２は記録光波長、ｔは記録層の膜厚、ｎは記録層の未記録領域の屈折率、及びｐは任意の正の奇数である。
【００２６】
上記構成によれば、Ｈ→Ｌの特性を有する情報記録媒体において、再生時におけるフォーカスサーボ用の反射光の光量が十分に得られる。
【００２７】
また、本発明は、前記中間層の屈折率と前記記録層の未記録領域の屈折率の差が、前記中間層の屈折率と前記記録層の記録済領域の屈折率の差より小さく、前記記録層の膜厚ｔが、下記の式（４）の条件を満たすことが好ましい。
【００２８】
（ｐ−０．３６９）λ１／（４ｎ１）≦ｔ≦（ｐ＋０．３６９）λ１／（４ｎ１）  （４）
ただし、λ１は再生光波長、λ２は記録光波長、ｔは記録層の膜厚、ｎ１は記録層の記録済領域の屈折率、及びｐは任意の正の奇数である。
【００２９】
上記構成によれば、Ｌ→Ｈの特性を有する情報記録媒体において、再生時におけるフォーカスサーボ用の反射光の光量が十分に得られる。
【００３０】
さらに、本発明は、前記記録層の膜厚ｔが、下記の式（５）の条件を満たすことが好ましい。
【００３１】
（ｑ−０．１０４）λ２／（４ｎ）≦ｔ≦（ｑ＋０．１０４）λ２／（４ｎ）  （５）
ただし、λ２は記録光波長、ｔは記録層の膜厚、ｎは記録層の未記録領域の屈折率、及びｑは任意の正の偶数である。
【００３２】
上記構成によれば、記録時に再生光でフォーカスサーボを行う場合の記録層の膜厚の範囲が好適化される。
【００３３】
本発明において、前記記録層の膜厚は、０．６μｍ以下であることが好ましい。前記構成によれば、記録層が塗布法等により容易に作製される。
【００３４】
本発明おいて、記録層の膜厚ｔは、前記式（２）におけるｔｉが、ｉ＝１〜３のいずれか１つが好ましい。上記構成によれば、未記録領域における再生光の反射率と記録光の反射率との差が顕著に大きい情報記録媒体が得られる。
【００３５】
本発明において、前記中間層の屈折率と前記記録層の未記録領域の屈折率との差、または、前記中間層の屈折率と前記記録層の記録済領域の屈折率との差が、０．０５以上であることが好ましい。上記構成によれば、再生光に対して少なくとも約０．１％以上の反射率が得られるため、再生時に良好なフォーカスサーボを行える。
【００３６】
そして、本発明において、前記記録光及び再生光が下記(i)〜(iv)のいずれか１つの再生光波長λ１及び記録光波長λ２の関係を有するとき、前記記録層の膜厚ｔは、それぞれ下記の式（６）〜（１１）の条件を満たすことが好ましい。
(i)０．６μｍ≦λ１≦０．７μｍ、０．７３μｍ≦λ２≦０．８３μｍのとき、
３．９０λ２／（４ｎ）≦ｔ≦４．１０λ２／（４ｎ）  （６）
(ii)０．３５μｍ≦λ１≦０．４５μｍ、０．６μｍ≦λ２≦０．７μｍのとき、
・  ９０λ２／（４ｎ）≦ｔ≦２．１０λ２／（４ｎ）  （７）
または、３．９０λ２／（４ｎ）≦ｔ≦４．１０λ２／（４ｎ）  （８）
(iii)０．４８μｍ≦λ１≦０．５８μｍ、０．６μｍ≦λ２≦０．７μｍのとき、
・  ９０λ２／（４ｎ）≦ｔ≦４．１０λ２／（４ｎ）  （９）
(iv)０．３５μｍ≦λ１≦０．４５μｍ、０．４８μｍ≦λ２≦０．５８μｍのとき、
１．９０λ２／（４ｎ）≦ｔ≦２．１０λ２／（４ｎ）  （１０）
または、３．９０λ２／（４ｎ）≦ｔ≦４．１０λ２／（４ｎ）  （１１）
ただし、式（６）〜（１１）中、λ１は再生光波長、λ２は記録光波長、ｎは記録層の未記録領域の屈折率、ｔは記録層の膜厚である。
【００３７】
上記構成によれば、記録時及び再生時のいずれにおいてもフォーカスサーボ用の反射光を十分に確保できるとともに、記録時の記録光及び再生時の再生光の光量の低減が抑えられるため、良好な記録再生が可能となる。
【００３８】
本発明の他の一局面は、記録光を出射する第１の光源と、前記記録光の波長より短い波長を有する再生光を出射する第２の光源と、前記第１及び第２の光源から出射された記録光及び再生光を上記の情報記録媒体に集光する対物レンズと、前記情報記録媒体からの反射光を検出する光検出器と、を備えた光学情報記録再生装置であって、記録時に、前記記録光が集光される記録層の光学定数の変化を利用することにより記録ピットを記録し、再生時に、前記再生光の記録層からの反射光を利用することによりフォーカスサーボを行ない、且つ、前記記録層の光学定数の変化に基づく反射率の違いを利用することにより前記記録ピットを再生する光学情報記録再生装置である。本発明の情報記録媒体は再生光波長に対する未記録領域の反射率が記録光波長に対する未記録領域の反射率よりも大きくいため、再生時に、再生光によるフォーカスサーボを行うことができるとともに、記録光の光量の低下を低減して、良好な記録を行うことができる。
【００３９】
本発明の上記光学情報記録再生装置において、前記記録時に、前記記録光の記録層からの反射光を利用することによりフォーカスサーボを行なってもよい。上記構成によれば、記録時にもフォーカスサーボが行われるため、精度良く記録ピットが記録される。
【００４０】
また、本発明の上記光学録再生装置において、前記記録時に、前記記録光と前記再生光の両方を出射させて、前記再生光の記録層からの反射光を利用してフォーカスサーボを行なってもよい。本発明の情報記録媒体は未記録領域における再生光の反射率が記録光の反射率より高く設定されているため、記録時に再生光によってフォーカスサーボが行われれば、精度良く記録ピットが記録される。
【００４１】
本発明の上記光学録再生装置において、前記記録光を出射する光源は、パルス幅が１００フェムト秒から１０ナノ秒のパルス光を発するレーザ光源が好ましい。上記構成によれば、非線形現象により良好な記録が行われる。
【００４２】
本発明の上記光学録再生装置において、前記記録ピットは、２光子吸収、多光子吸収、プラズマ吸収過程等の非線形吸収現象により記録される。上記構成によれば、記録光の集光によって所定の記録層のみの光学定数が変化するために３次元的に記録ピットが記録される。
【００４３】
本発明の上記光学録再生装置において、前記記録光及び再生光が、下記(i)〜(iv)のいずれか１つの再生光波長λ１及び記録光波長λ２の関係を有するとき、前記情報記録媒体の記録層の膜厚ｔは、それぞれ下記式（１２）〜（１７）の条件を満たすことが好ましい。
(i)０．６μｍ≦λ１≦０．７μｍ、０．７３μｍ≦λ２≦０．８３μｍのとき、
３．９０λ２／（４ｎ）≦ｔ≦４．１０λ２／（４ｎ）  （１２）
(ii)０．３５μｍ≦λ１≦０．４５μｍ、０．６μｍ≦λ２≦０．７μｍのとき、
１．９０λ２／（４ｎ）≦ｔ≦２．１０λ２／（４ｎ）  （１３）
または、３．９０λ２／（４ｎ）≦ｔ≦４．１０λ２／（４ｎ）  （１４）
(iii)０．４８μｍ≦λ１≦０．５８μｍ、０．６μｍ≦λ２≦０．７μｍのとき、
３．９０λ２／（４ｎ）≦ｔ≦４．１０λ２／（４ｎ）  （１５）
(iv)０．３５μｍ≦λ１≦０．４５μｍ、０．４８μｍ≦λ２≦０．５８μｍのとき、
１．９０λ２／（４ｎ）≦ｔ≦２．１０λ２／（４ｎ）  （１６）
または、３．９０λ２／（４ｎ）≦ｔ≦４．１０λ２／（４ｎ）  （１７）
ただし、式（１２）〜（１７）中、λ１は再生光波長、λ２は記録光波長、ｎは記録層の未記録領域の屈折率、ｔは記録層の膜厚である。
【００４４】
上記構成によれば、記録時及び再生時のいずれにおいてもフォーカスサーボ光を確保できるとともに、記録時の記録光及び再生時の再生光の光量を十分に確保できるため、良好な記録再生が可能となる。
【００４５】
本発明の上記光学録再生装置において、対物レンズで集光される記録光が既に記録された記録ピットを通過しないように、前記記録ピットを３次元的に記録することが好ましい。上記構成によれば、記録済の記録ピットを透過することによって発生する散乱光、不要回折光等の迷光（ノイズ光）の影響を減らす効果（ＳＮ比向上）が得られる。
【００４６】
本発明の上記光学録再生装置において、記録時には、前記情報記録媒体の記録部の対物レンズから最も離れた記録層から記録ピットを記録することが好ましい。上記構成によれば、記録光が記録済の記録ピットを透過することによる散乱光、不要回折光等の迷光（ノイズ光）の影響が低減される。
【００４７】
そして、本発明の他の一局面は、記録光を出射する第１の光源と、前記記録光の波長より短い波長を有する再生光を出射する第２の光源と、前記第１及び第２の光源から出射された記録光及び再生光を上記の情報記録媒体に集光する対物レンズと、前記情報記録媒体からの反射光を検出する光検出器と、を備えた光学情報記録再生装置であって、記録時に、前記記録光の記録層からの反射光を利用することによりフォーカスサーボを行い、且つ、前記記録光が集光される記録層の光学定数の変化を利用することにより記録ピットを記録するか、または、記録時に、前記記録光と前記再生光の両方を出射させて、前記再生光の記録層からの反射光を利用してフォーカスサーボを行ない、且つ、前記記録光が集光される記録層の光学定数の変化を利用することにより記録ピットを記録する光学情報記録再生装置である。本発明の情報記録媒体は、再生光に対する未記録領域の反射率が、記録光に対する未記録領域の反射率よりも大きいため、記録時に記録光または再生光を照射することにより、その反射光を利用してフォーカスサーボを行うことができる。そして、記録光の減衰が少ないため、下層の記録層においても高精度に良好な記録を行うことができる。
【発明を実施するための最良の形態】
【００４８】
本発明の情報記録媒体は、記録光と再生光の関係において、再生光波長λ１（以下、単にλ１と省略する場合がある）が記録光波長λ２（以下、単にλ２と省略する場合がある）より短い場合に、フォーカスサーボ用の反射光を確保しながら、非線形記録を利用して３次元的に記録ピットを記録し、再生するために、記録光波長λ２に対する記録層の未記録領域の反射率が、再生光波長λ１に対する上記記録層の未記録領域の反射率よりも小さいことを特徴とする。
【００４９】
図１は、本発明に係る情報記録媒体の構成と信号を記録／再生する様子を示す説明図である。
【００５０】
図１に示されるように、本発明の情報記録媒体２１は、例えば１．１ｍｍの厚さの基板９と、上記基板９上に形成された複数の記録層１（図１では１ａ〜１ｆの６層が図示されており、その各膜厚はｔである）を含む記録部３を具備している。記録部３は、記録層１間に、例えば、ｔｓ＝３〜１０μｍ厚の中間層２（図１では２ａ〜２ｅの５層が図示されている）が設けられており、記録層１と中間層２とが交互に複数積層された構造を有している。
【００５１】
記録部３の記録光７ａ、７ａ’（７ａは情報記録媒体２１への記録光の収束光、７ａ’は情報記録媒体２１からの記録光の反射光）及び再生光７ｂ、７ｂ’（７ｂは情報記録媒体２１への再生光の収束光、７ｂ’は情報記録媒体２１からの再生光の反射光）の入射側もしくは入出力側には、例えば５０〜１００μｍの厚さの保護層４がさらに設けられてもよい。保護層４が設けられることにより、情報記録媒体上の埃、ゴミ、傷等が多少存在しても記録及び再生が可能である。
【００５２】
本発明の情報記録媒体は、記録時において、記録光波長λ２の収束光７ａがターゲット層である、例えば、記録層１ｄの記録領域であるトラック２５に照射される。このとき、記録層１ｄからの反射光７ａ’を光検出器（図１では図示なし）で検出すれば、反射光７ａ’をフォーカスサーボ用の光としても用いることができる。そして、この反射光７ａ’を利用したフォーカスサーボにより、記録時に、正確にターゲットの記録層１ｄに記録光が集光され、記録層の光学定数、好ましくは屈折率を変化させて、記録ピット５が記録される。
【００５３】
また、再生時も同じく、再生光波長λ１の収束光７ｂが、例えば、ターゲットの記録層１ｄに照射される。このとき、記録層１ｄからの反射光７ｂ’を光検出器（図１では図示なし）で検出すれば、反射光７ｂ’をフォーカスサーボ用の光としても用いることができる。そして、この反射光７ｂ’を利用したフォーカスサーボにより、再生時に、正確にターゲットの記録層１ｄのトラック２５に再生光が集光され、記録済領域である記録ピット５からの反射光７ｂ’により信号が再生される。
【００５４】
再生時では、記録層１ｄのトラック２５に、未記録領域２４と記録済領域２３のように、部分的に記録ピット５が記録されているので（記録ピット５の形成されている領域が記録済領域２３である）、フォーカスサーボ用の反射光としては、未記録領域２４と記録済領域２３（記録ピット５）から得られる反射光の内いずれか大きい方の反射光を用いればよい。すなわち、本発明の２光子吸収記録等の非線形記録を利用する情報記録媒体は、記録により記録層の光学定数の変化、例えば、屈折率の変化を利用して記録ピットが形成されるため、記録層と中間層の組み合わせにより記録前後で記録層の反射率が変化する。このため、例えば、中間層２の屈折率ｎ２と記録層１の未記録領域２４の屈折率ｎとの差（｜ｎ２−ｎ｜）が、中間層２の屈折率ｎ２と記録層１の記録済領域２３の屈折率ｎ１との差（｜ｎ２−ｎ１｜）より大きい場合は、未記録領域２４の反射率は大きいが、記録済領域２３の反射率は小さくなる。従って、このような特性を有する情報記録媒体では未記録領域２４での反射光がフォーカスサーボ用として主に検出される。上記のような、記録により反射率が低くなる特性はＨ→Ｌ（High-to-Low）と呼ばれる。一方、中間層２の屈折率ｎ２と記録層１の未記録領域２４の屈折率ｎとの差（｜ｎ２−ｎ｜）が、中間層２の屈折率ｎ２と記録層１の記録済領域２３の屈折率ｎ１との差（｜ｎ２−ｎ１｜）より小さい場合は、未記録領域２４の反射率は小さいが、記録済領域２３の反射率は大きくなる。従って、このような特性を有する情報記録媒体では記録済領域２３（すなわち、記録ピット５）での反射光がフォーカスサーボ用として主に検出される。上記のような記録により反射率が高くなる特性はＬ→Ｈ（Low-to-High）と呼ばれる。
【００５５】
また、通常、記録による屈折率の変化量（｜ｎ１−ｎ｜）はそれ程大きくないため、反射光の光量を考慮すれば、Ｈ→Ｌの場合には、記録層の未記録領域の屈折率ｎ及び記録済領域の屈折率ｎ１のいずれよりも高い屈折率ｎ２を有する中間層、すなわち、各屈折率が、ｎ＜ｎ１＜ｎ２の関係を満足する中間層が好ましい。一方、Ｌ→Ｈの場合には、記録層の未記録領域の屈折率ｎ及び記録済領域の屈折率ｎ１のいずれよりも低い屈折率ｎ２を有する中間層、すなわち、各屈折率が、ｎ１＞ｎ＞ｎ２の関係を満足する中間層が好ましい。なお、中間層２の屈折率は、記録層１の未記録領域２４の屈折率もしくは記録済領域２３の屈折率との差が０．０５以上が好ましい。前記屈折率の差が０．０５以上であれば、再生光に対して少なくとも約０．１％以上の反射率が得られ、再生時に良好なフォーカスサーボを行えることが確認されている。
【００５６】
上記のようなフォーカスサーボ用の反射光を確保しようとすると、対物レンズから離れた下層の記録層では記録時または再生時の光量が低下し、記録または再生が困難になる。特に、非線形記録の場合、記録時の光量の減少は記録感度に乗数的に影響するため、下層の記録層での記録ピットの形成が困難となる。
【００５７】
本発明によれば、非線形記録におけるλ１とλ２の波長の違いを利用して、λ２に対する未記録領域２４の反射率が、λ１に対する未記録領域２４の反射率よりも小さくなるように記録層を形成すれば、フォーカスサーボを行いながら、下層の記録層においても高精度に良好な記録及び再生を達成できることが見出された。
【００５８】
すなわち、本発明の反射率の関係を有する記録層であれば、各記録層１での記録光の透過率が大きい。このため、対物レンズ６から最も離れた最下層の記録層（図１では１ａ）においても、記録光７ａの光量の低下が少なく、良好な記録が可能となる。そして、非線形記録では記録光として数１００ｍＷ〜１Ｗ以上の大きなピークパワを必要とするため、利用する記録用光源はそのピークパワを増加させるような調整が困難であるのに対し、再生用光源は必要なピークパワは小さく、また、再生光による記録を防止するためにも記録光のパワよりもそのパワを抑えることが好ましい（一般に、数ｍＷ〜数１０ｍＷ程度）。従って、再生用光源のパワは記録用光源の１／１０程度であり、その最大出力は余裕をもっている。このため、記録層の未記録領域の再生光波長に対する反射率が記録光波長に対する反射率より大きくなるように設定されて、ターゲットの記録層が対物レンズ６から離れた下層になるに従って記録層からの再生光の反射光強度が徐々に低下しても、必要により再生用光源のパワをその低下に対応させて大きくすれば、検出可能な程度までにその反射光強度の低下を防ぐことが可能となる。そして、上記の記録用光源及び再生用光源が使用される場合、再生光波長に対する反射率は高いため、再生光のパワが小さくても十分な光量が確保できる。一方、記録光のパワは再生光のパワの１０倍程度であることから、記録光波長に対する反射率を再生光波長に対して１／１０程度まで低く設定することも可能となる。
【００５９】
本発明によれば、上記のような記録層の各反射率の特性は、使用される記録光波長と再生光波長により異なるが、記録層の膜厚を調整することにより各波長の組み合わせに適した反射率を確保できることが見出された。以下の各実施の形態では、上記記録光と再生光の反射率の関係を満たす情報記録媒体について、各記録光波長及び再生光波長の組み合わせに分けて具体的に説明される。
【００６０】
（実施の形態１）
本実施の形態においては、再生光波長λ１が記録光波長λ２よりも短く、例えば、再生光の波長が０．６μｍ≦λ１≦０．７μｍを満たし、記録光の波長が０．７３μｍ≦λ２≦０．８３μｍを満たす記録光及び再生光を利用する情報記録媒体及び光学情報記録再生装置が説明される。このような波長を有する光源としては、具体的には、例えば、λ１＝０．６６μｍを出射する半導体レーザ、及びλ２＝０．７８μｍを出射する半導体レーザが挙げられる。
【００６１】
図２から図５を用いて、本実施の形態における情報記録媒体２１の記録層１の好ましい膜厚が詳細に説明される。図２Ａ及び図２Ｂは、本発明の実施の形態１に係る情報記録媒体の記録層の膜厚と、記録層の未記録領域での再生光及び記録光の反射率との関係の一例を示している。図３Ａ及び図３Ｂは、本発明の実施の形態１に係る情報記録媒体の記録層の膜厚と、記録層の未記録領域での再生光及び記録光の反射率との関係の他の一例を示している。図４Ａは、図２Ａの情報記録媒体の記録層の膜厚と、記録層の未記録領域及び記録済領域での再生光の反射率との関係を示しており、図４Ｂは、図２Ａの情報記録媒体の記録層の膜厚と、記録層の未記録領域及び記録済領域での記録光の反射率との関係を示している。図５Ａは、図３Ａの情報記録媒体の記録層の膜厚と、記録層の未記録領域及び記録済領域での再生光の反射率との関係を示しており、図５Ｂは、図３Ａの情報記録媒体の記録層の膜厚と、記録層の未記録領域及び記録済領域での記録光の反射率との関係を示している。また、図６は、本発明の実施の形態１に係る情報記録媒体の製造工程を示している。図７は、本発明の実施の形態１に係る光学情報記録再生装置の構成と情報記録媒体に記録ピットを記録／再生する状態を示している。各図において、λ１は再生光波長、λ２は記録光波長、ｎは記録層１の未記録領域２４の屈折率、ｎ１は記録層の記録済領域２３の屈折率、及びｎ２は中間層２の屈折率を示す。
【００６２】
本実施の形態の記録層１のフォトクロミック材料として、例えば、ジアリールエテンの１つであるcis-1,2-Dicyano-1,2-bis(2,4,5-trimethyl-3-thienyl)etheneが用いられた場合、その開環体が未記録領域２４を、その閉環体が記録済領域２３を構成する。このような記録層１では、例えば、典型的には、各屈折率が、ｎ＝１．５５、ｎ１＝１．６０となる。そして、中間層２に紫外線硬化樹脂が用いられた場合、その種類によって屈折率ｎ２は異なるが、例えば、ｎ２＝１．６４の紫外線硬化樹脂からなる中間層２が用いられれば、ｎ２がｎ１より大きい情報記録媒体（ｎ＜ｎ１＜ｎ２）、すなわちＨ→Ｌの特性を有する情報記録媒体となる。この情報記録媒体においては、記録層の膜厚と、λ１（０．６６μｍ）及びλ２（０．７８μｍ）に対する記録層１の未記録領域２４の各反射率との関係は、図２Ａ及び図２Ｂの、それぞれ、点線、及び実線で示されるように、正弦波状の周期的な変化を示すことが確認された。この反射率の変位において、再生光の最大反射率は、ｒ１ｍａｘ＝０．３２％、記録光の最大反射率は、ｒ２ｍａｘ＝０．３２％、再生光の最小反射率は、ｒ１ｍｉｎ＝０％、記録光の最小反射率は、ｒ２ｍｉｎ＝０％である。そして、図２Ａに示されるように、λ１に対して未記録領域２４の反射率が最大値を示す記録層１の膜厚は、任意の正の奇数ｐを用いて、ｐλ１／（４ｎ）で表され、λ２に対する反射率が最大値を示す記録層１の膜厚は、ｐλ２／（４ｎ）で表される。また、記録層の膜厚ｔに対して、点線で示されたλ１に対して正弦波状に変化する反射率の変位は、Ｒ１（ｔ）＝ｒ１ｍａｘ［１―ｃｏｓ（４ｎπｔ／λ１）］／２で、実線で示されたλ２に対する正弦波状に変化する反射率の変位は、Ｒ２（ｔ）＝ｒ２ｍａｘ［１―ｃｏｓ（４ｎπｔ／λ２）］／２の各式で表わされる。なお、本実施の形態のように、λ１とλ２に対して、波長分散による屈折率の差に基づく反射率への影響は殆どの場合小さく（例えば、屈折率は有効数字２〜３桁で同じ値となる）、従って、上記のような屈折率を有する情報記録媒体ではλ１に対するｒ１ｍａｘとλ２に対するｒ２ｍａｘを同一とみなして上記式を簡略化することもできる。
【００６３】
図２Ｂに示されるように、点線で示される記録層の膜厚に対する未記録領域におけるλ１の反射率の変位Ｒ１（ｔ）と、実線で示される記録層の膜厚に対する未記録領域におけるλ２の反射率の変位Ｒ２（ｔ）とが下記式（１）の条件を満たす膜厚ｔの範囲であれば、本実施の形態の再生光波長及び記録光波長が使用される場合に、λ２に対する記録層の未記録領域の反射率が、λ１に対する記録層の未記録領域の反射率よりも小さくなる。
【００６４】
ｒ１ｍａｘ［１−ｃｏｓ（４ｎπｔ／λ１）］／２＞ｒ２ｍａｘ［１−ｃｏｓ（４ｎπｔ／λ２）］／２    （１）
式中、λ１は再生光波長、λ２は記録光波長、ｎは記録層の未記録領域の屈折率、ｔは記録層の膜厚、ｒ１ｍａｘはλ１に対する記録層の未記録領域の最大反射率、及びｒ２ｍａｘはλ２に対する記録層の未記録領域の最大反射率である。
【００６５】
具体的には、Ｒ１（ｔ）とＲ２（ｔ）の０以上の交点における膜厚は、小さい方から順にｔ０、ｔ１、ｔ２、ｔ３、・・・、ｔｉ、・・・、（ｉは０以上の任意の整数で、０≦ｔｉ＜ｔｉ＋１、・・・は繰り返しを意味する）とすると、ｔ０＝０μｍ、ｔ１＝０．１２μｍ、ｔ２＝０．２３μｍ、ｔ３＝０．３５μｍ、ｔ４＝０．４６μｍ、ｔ５＝０．５８μｍ、ｔ６＝０．６９μｍ、ｔ７＝０．８１μｍ、・・・、となる。従って、点線で示されたＲ１（ｔ）が、実線で示されたＲ２（ｔ）より大きくなる記録層の膜厚の範囲は、図２Ｂ中、横方向の矢印で示される、Ｔ１、Ｔ２、Ｔ３、・・・、の範囲である。ｔｉを用いて表される各範囲は、ｔ０＜Ｔ１＜ｔ１、ｔ２＜Ｔ２＜ｔ３、ｔ４＜Ｔ３＜ｔ５、・・・、となる。すなわち、記録層の膜厚の範囲は、以下の式（２）を満たすＴｉ＋１となる。
【００６６】
ｔ２ｉ＜Ｔｉ＋１＜ｔ２ｉ＋１    （２）
ただし、ｉは０以上の任意の整数であり、０≦ｔｉ＜ｔｉ＋１である。
【００６７】
交点の膜厚ｔｉは、上記の式（１）でＲ１（ｔ）＝Ｒ２（ｔ）、すなわち、ｒ１ｍａｘ［１−ｃｏｓ（４ｎπｔ／λ１）］／２＝ｒ２ｍａｘ［１−ｃｏｓ（４ｎπｔ／λ２）］／２の式を解くことにより、数学的に容易に求められる。このとき、上述したようにλ１とλ２に対して波長分散による屈折率の差が小さい場合、ｒ１ｍａｘ＝ｒ２ｍａｘと近似されるので、式（１）は、ｃｏｓ（４ｎπｔ／λ１）＝ｃｏｓ（４ｎπｔ／λ２）と簡略化される。
【００６８】
次に、記録済領域における反射光をフォーカスサーボ用として利用するＬ→Ｈの情報記録媒体の反射率特性が説明される。例えば、中間層２の屈折率ｎ２＝１．４６の紫外線硬化型樹脂からなる中間層が用いられれば、ｎ２がｎより小さい情報記録媒体（ｎ２＜ｎ＜ｎ１）、すなわちＬ→Ｈの特性を有する情報記録媒体となる。この情報記録媒体においては、記録層の膜厚と、λ１（０．６６μｍ）及びλ２（０．７８μｍ）に対する各記録層１の未記録領域２４の反射率との関係は、図３Ａ及び図３Ｂの、それぞれ、点線、実線で示されるように、正弦波状の周期的な変化を示すことが確認された。この反射率の変位において、再生光の最大反射率は、ｒ１ｍａｘ＝０．３６％、記録光の最大反射率は、ｒ２ｍａｘ＝０．３６％、再生光の最小反射率は、ｒ１ｍｉｎ＝０％、記録光の最小反射率は、ｒ２ｍｉｎ＝０％である。そして、図３に示されるように、前述の図２のＨ→Ｌの特性を有する情報記録媒体の反射率の変位と比べて、Ｌ→Ｈの特性を有する情報記録媒体の反射率の変位は、ｒ１ｍａｘ、ｒ２ｍａｘが異なるのみで、反射率の周期、最大値、及び最小値を示す記録層の膜厚は同じであることが分る。従って、図３Ｂに示された２本の反射率の変位の交点における膜厚ｔｉ（ｉは任意の０以上の整数）の値は、図２に示された値と同じとなる。その結果、λ１に対する反射率がλ２に対する反射率よりも低くなる好ましい記録層の膜厚Ｔｉ＋１（ｉは任意の０以上の整数）の範囲も同じで、ｔ０＝０μｍ＜Ｔ１＜ｔ１＝０．１２μｍ、ｔ２＝０．２３μｍ＜Ｔ２＜ｔ３＝０．３５μｍ、ｔ４＝０．４６μｍ＜Ｔ３＜ｔ５＝０．５８μｍ、・・・、である。以上から、記録層の未記録領域の屈折率ｎ、再生光波長λ１、及び記録光波長λ２が同じであれば、Ｈ→ＬあるいはＬ→Ｈのいずれ特性を有する情報記録媒体においても、好ましい記録層１の膜厚は同じになることが判明した。特に、Ｔ２(ｔ２〜ｔ３)あるいはＴ３(ｔ４〜ｔ５)、すなわち、式（２）におけるｉが１または２の範囲の膜厚であれば、再生光と反射光の反射率の差が大きくなるため、好ましい。
【００６９】
次に、記録層１に記録ピット５が記録され、再生される場合について説明される。Ｈ→Ｌ（ｎ＜ｎ１＜ｎ２）の特性を有する情報記録媒体において、例えば、各反射率が、ｎ＝１．５５、ｎ１＝１．６０、ｎ２＝１．６４である場合、λ１に対する未記録領域２４及び記録済領域２３の各反射率は、図４Ａのそれぞれ点線及び実線で示されるように正弦波状の周期的な変化を示すことが確認された。この情報記録媒体はＨ→Ｌの特性を有するため、未記録領域２４における最大反射率はｒ１ｍａｘ＝０．３２％であるが、記録ピット５である記録済領域２３における最大反射率はｒ１ｍａｘ＝０．０６％に低下する（最小値はいずれも０％である）。そして、図４Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。このため、記録層１の膜厚が厚くなるほど、各領域における反射率の最大値のずれ量は大きくなっていく。
【００７０】
既述したように、記録済領域２３の再生光の反射光７ｂ’が記録ピット５の再生信号光となる。このため、再生時には、λ１に対する未記録領域２４の反射光強度とλ１に対する記録済領域２３の反射光強度の差が大きいほど、再生信号の変調率が大きくなり好ましい。従って、記録済領域２３の再生光の反射光強度が小さく一定のとき、未記録領域２４からの再生光の反射光強度が大きい方が望ましい。検討によれば、その反射率は未記録領域２４における再生光の最大反射率ｒ１ｍａｘの０．７倍以上の反射率が確保されれば、従来の光学情報記録再生装置で使用されている光検出器の検出回路のＩＣの構成を変えることなく、良好な再生信号が得られることが確認されている。
【００７１】
この再生光の最大反射率ｒ１ｍａｘの０．７倍以上の反射率を示す好ましい記録膜の膜厚は、小さい方から順に、図４Ａで横方向の矢印で示された、Ｔａ、Ｔｂ、Ｔｃ、・・・、（・・・は繰り返しを意味する）の範囲である。この記録層の膜厚ｔは、以下の式（３）を満たす範囲となる。
【００７２】
（ｐ−０．３６９）λ１／（４ｎ）≦ｔ≦（ｐ＋０．３６９）λ１／（４ｎ）    （３）
式中、λ１は再生光波長、λ２は記録光波長、ｔは記録層の膜厚、ｎは記録層の未記録領域の屈折率、及びｐは任意の正の奇数である。
【００７３】
具体的な記録層の膜厚は、例えば、０．０７μｍ≦Ｔａ≦０．１５μｍ、０．２８μｍ≦Ｔｂ≦０．３６μｍ、０．４９μｍ≦Ｔｃ≦０．５７μｍ、０．７１μｍ≦Ｔｄ≦０．７８μｍ、・・・、である。
【００７４】
以上の結果を考え合わせると、Ｈ→Ｌ（ｎ＜ｎ１＜ｎ２）の特性を有する情報記録媒体の場合、より好ましい各記録層１の膜厚の範囲は、良好な再生信号強度（最大反射率ｒ１ｍａｘの０．７倍以上）が確保され、かつ、未記録領域２４のλ２に対する反射率がλ１に対する反射率よりも小さくなる範囲である。すなわち、Ｔ１、Ｔ２、Ｔ３、・・・、で表される範囲と、Ｔａ、Ｔｂ、Ｔｃ、・・・、で表される範囲を同時に満たす膜厚の範囲が望ましい。具体的に、両膜厚の範囲を同時に満たすより好ましい膜厚は、図４Ａの横方向の矢印で示されるように、小さい方から順に、例えば、０．０７μｍ≦Ｔｒ１＜０．１２μｍ、０．２８μｍ≦Ｔｒ２＜０．３５μｍ、０．４９μｍ≦Ｔｒ３≦０．５７μｍ、０．７１μｍ≦Ｔｒ４≦０．７８μｍ、・・・、（・・・は繰り返しを意味する）を満たす、Ｔｒ１、Ｔｒ２、Ｔｒ３、Ｔｒ４、・・・、となる。上記のより好ましい膜厚の範囲は波長や屈折率の組み合わせで異なることは言うまでもない。
【００７５】
なお、図４Ｂに示されたように、未記録領域２４及び記録済領域２３のλ２に対する反射率も、それらのλ１に対する反射率と同じような正弦波状の周期関数となり（最大反射率値と最小反射率は再生光の各反射率と同じ値である）、記録後に反射率が低下するＨ→Ｌの挙動を示す。λ２に対する未記録領域２４の反射率が最大値を示す記録層１の膜厚は、任意の正の奇数ｐを用いて、ｐλ２／（４ｎ）で表され、λ２に対する記録済領域２３の反射率が最大値を示す記録層１の膜厚は、ｐλ２／（４ｎ１）で表される。このため、記録層１の膜厚が厚くなるほど、各領域における反射率の最大値のずれ量は大きくなっていく。
【００７６】
次に、Ｌ→Ｈ（ｎ１＞ｎ＞ｎ２）の特性を有する情報記録媒体において、例えば、各屈折率が、ｎ＝１．５５、ｎ１＝１．６０、ｎ２＝１．４６である場合、λ１に対する未記録領域２４及び記録済領域２３の各反射率は、図５Ａの、それぞれ点線、実線で示されるように正弦波状に周期的に変化を示すことが確認された。この情報記録媒体はＬ→Ｈの特性を有するため、記録層の未記録領域２４における最大反射率はｒ１ｍａｘ＝０．３６％であるが、記録ピット５の記録済領域２３における最大反射率はｒ１ｍａｘ＝０．８３％に増加する（最小値はいずれも０％である）。そして、図５Ａに示されるように、λ１に対する未記録領域２４の反射率が最大値を示す記録層１の膜厚は、任意の正の奇数ｐを用いて、ｐλ１／（４ｎ）で表され、記録済領域２３の反射率が最大値を示す記録層１の膜厚は、ｐλ１／（４ｎ１）で表される。このため、記録層１の膜厚が厚くなるほど、それらの最大値のずれ量は大きくなっていく。
【００７７】
このＬ→Ｈの特性を有する情報記録媒体も、Ｈ→Ｌの特性を有する情報記録媒体と同様に、再生時には、未記録領域２４のλ１に対する反射光強度と記録済領域２３のλ１に対する反射光強度の差が大きいほど、再生信号の変調率が大きくなるため好ましい。従って、未記録領域２４のλ１に対する反射光強度が小さく一定のとき、記録済領域２３のλ１に対する反射光強度が大きい方が望ましい。上記したように、その反射率は、最大反射率の０．７倍以上の反射率が確保されれば、検出回路のＩＣの構成を変えずに良好な再生信号が得られることが確認されている。この再生光の最大反射率ｒ１ｍａｘの０．７倍以上の反射率が得られる好ましい記録膜の膜厚は、小さい方から順に、図５Ａで横方向の矢印で示された、Ｔａ、Ｔｂ、Ｔｃ、・・・、（・・・は繰り返しを意味する）の範囲である。この記録層の膜厚ｔは、以下の式（４）を満たす範囲となる。
【００７８】
（ｐ−０．３６９）λ１／（４ｎ１）≦ｔ≦（ｐ＋０．３６９）λ１／（４ｎ１）    （４）
ただし、λ１は再生光波長、λ２は記録光波長、ｔは記録層の膜厚、ｎ１は記録層の記録済領域の屈折率、及びｐは任意の正の奇数である。
【００７９】
具体的な記録層の膜厚は、例えば、０．０７μｍ≦Ｔａ≦０．１４μｍ、０．２７μｍ≦Ｔｂ≦０．３５μｍ、０．４８μｍ≦Ｔｃ≦０．５５μｍ、０．６８μｍ≦Ｔｄ≦０．７６μｍ、・・・、である。
【００８０】
以上の結果を考え合わせると、Ｌ→Ｈ（ｎ１＞ｎ＞ｎ２）特性を有する情報記録媒体の場合、より好ましい各記録層１の膜厚の範囲は、良好な再生信号強度（最大反射率ｒ１ｍａｘの０．７倍以上）が確保され、かつ、未記録領域２４のλ２に対する反射率がλ１に対する反射率よりも小さくなる範囲である。すなわち、Ｔ１、Ｔ２、Ｔ３、・・・、で表される範囲と、Ｔａ、Ｔｂ、Ｔｃ、・・・、で表される範囲を同時に満たす膜厚の範囲が望ましい。具体的には、両膜厚の範囲を同時に満たすより好ましい範囲の膜厚は、図５Ａに示されるように、膜厚が小さい方から順に、例えば、０．０７μｍ≦Ｔｒ１＜０．１２μｍ、０．２７μｍ≦Ｔｒ２＜０．３５μｍ、０．４８μｍ≦Ｔｒ３≦０．５５μｍ、０．６８μｍ≦Ｔｒ４≦０．７６μｍ、・・・、（・・・は繰り返しを意味する）を満たす、Ｔｒ１、Ｔｒ２、Ｔｒ３、Ｔｒ４、・・・、となる。上記のより好ましい膜厚の範囲は、波長や屈折率の組み合わせで異なることは言うまでもない。
【００８１】
そして、上記各Ｔｒの範囲の中でも、製造の点から、Ｈ→ＬとＬ→Ｈのどちらの特性を有する情報記録媒体も、記録層の膜厚は、例えば、０．６μｍ以下とある程度薄い方が作りやすい。このため、記録層１の膜厚の範囲は、上記の各結果と図４Ａ及び図５Ａに示された、Ｔｒ１、Ｔｒ２、またはＴｒ３の辺りに設定されることが好ましい。
【００８２】
なお、図５Ｂに示されるように、未記録領域２４及び記録済領域２３のλ２に対する反射率も、それらのλ１に対する反射率と同じような正弦波状の周期関数になり（最大反射率と最小反射率は再生光波長の各反射率と同じ値である）、記録後に反射率が増加するＬ→Ｈの挙動を示す。λ２に対する未記録領域２４の反射率が最大値を示す記録層１の膜厚は、任意の正の奇数ｐを用いて、ｐλ２／（４ｎ）で表され、λ２に対する記録済領域２３の反射率が最大値を示す記録層１の膜厚は、ｐλ２／（４ｎ１）で表される。このため、記録層１の膜厚が厚くなるほど、各領域における反射率の最大値のずれ量は大きくなっていく。
【００８３】
また、本実施の形態の記録光及び再生光のように、再生光波長λ１が０．６μｍ≦λ１≦０．７μｍを満たし、記録光波長λ２が０．７３μｍ≦λ２≦０．８３μｍを満たす関係の場合には、Ｈ→ＬまたはＬ→Ｈの特性を有する情報記録媒体のどちらであっても、図２及び図３（λ１＝０．６６μｍ、λ２＝０．７８μｍ）に示されたように、特に、Ｔ２（ｔ２〜ｔ３）とＴ３（ｔ４〜ｔ５）、すなわち、式（２）におけるｉが１または２の範囲において、実線で示されたλ２に対する未記録領域２４の反射率は、点線で示されたλ１に対する未記録領域２４の反射率よりも大幅に小さくできることが理解される。例えば、記録層１の膜厚が、Ｔ２の膜厚の範囲内の３λ１／（４ｎ）＝０．３２μｍに設定された場合（この膜厚は、前述した、より好ましい記録層１の膜厚Ｔｒ２に含まれる）、λ１に対する未記録領域２４の反射率は、Ｈ→Ｌの情報記録媒体が、０．３２％、Ｌ→Ｈの情報記録媒体が、０．３６％である。これに対し、同じ記録層の厚みで、λ２に対する未記録領域２４の反射率は、Ｈ→Ｌの情報記録媒体が０．１８％、Ｌ→Ｈの情報記録媒体が、０．２０％である。このように、いずれの場合でもλ２に対する未記録領域２４の反射率がλ１に対する未記録領域２４の反射率より顕著に小さい情報記録媒体が得られる。
【００８４】
従って、本発明によれば、例えば、記録層１が３０層の場合の情報記録媒体２１を考えると、対物レンズ６から最も遠い最下層の記録層１ａにおいて、未記録領域２４で再生光７ｂの光量は、Ｈ→Ｌの特性を有する情報記録媒体が、（１−０．００３２）２９＝０．９１、Ｌ→Ｈの特性を有する情報記録媒体が、（１−０．００３６）２９＝０．９０となり、どちらの情報記録媒体においてもおよそ１０％低下する。一方、最下層の記録層１ａにおいて、未記録領域２４における記録光７ａの光量は、Ｈ→Ｌの特性を有する情報記録媒体が、（１−０．００１８）２９＝０．９５、Ｌ→Ｈの特性を有する情報記録媒体が、（１−０．００２０）２９＝０．９４となり、記録光の光量の低下は５〜６％となる。従って、記録光の光量の低下は再生光の光量の低下に比べて半分程度に小さくできる。このため、記録層１の層数が多くなる程、本発明の効果は大きくなる。
【００８５】
非線形吸収現象で記録ピットが記録される場合、記録感度が光量の変位に対して乗数的に変化するので（例えば、２光子吸収記録では、記録感度が光量の２乗特性に比例する）、特に記録に関しては光量の低下が問題となる（例えば、２光子吸収記録では、記録光の光量が０．９倍になると記録感度はその２乗の０．８１倍に低下する）。しかしながら、本発明によれば、記録光の光量の低下が低減されるため、フォーカスサーボ用の反射光を確保しながら、多層の記録層を有する情報記録媒体に３次元的に記録ピットを精度良く良好に記録及び再生することが可能となる。
【００８６】
また、記録層１の膜厚が、Ｔ３の領域、例えば、５λ１／（４ｎ）＝０．５３μｍに設定された場合（この膜厚は、前述した、より好ましい記録層１の膜厚Ｔｒ３の範囲に含まれる）、λ１に対する未記録領域２４の反射率は、Ｈ→Ｌの情報記録媒体が、０．３２％、Ｌ→Ｈの情報記録媒体が、０．３６％である。これに対し、同じ記録層の厚みで、λ２に対する未記録領域２４の反射率は、Ｈ→Ｌの情報記録媒体が、０．０４％、Ｌ→Ｈの情報記録媒体が、０．０５％である。従って、０．３２μｍの膜厚を有する記録層と比べ、さらに記録光に対する反射率が小さくなる。既述したように、記録光の光量は再生光の光量に比べて大きい（例えば、１０倍程度）。一方、再生光によりフォーカスサーボを行うための十分な反射率は約０．１％である。従って、λ２に対する未記録領域２４の反射率は約０．０１％以上確保されれば足りる。本実施の形態において、Ｔ３の範囲では、λ１に対して最大の反射率を与える記録層の膜厚でのλ２に対する未記録領域２４の反射率は、Ｔ１あるいはＴ２における反射率より小さくできる。従って、記録層１の層数が多い情報記録媒体にはＴ３の膜厚の範囲が特に好ましい。例えば、５０層の記録層１を有する情報記録媒体の場合、対物レンズ６から最も遠い最下層の記録層１ａにおいては、未記録領域２４での再生光７ｂの光量は、Ｈ→Ｌの情報記録媒体が、（１−０．００３２）４９＝０．８５、Ｌ→Ｈの情報記録媒体が、（１−０．００３６）４９＝０．８４であり、再生光の光量の低下は１５〜１６％となる。これに対し、未記録領域２４での記録光７ａの光量は、Ｈ→Ｌの情報記録媒体が、（１−０．００４）４９＝０．９８、Ｌ→Ｈの情報記録媒体が、（１−０．００５）４９＝０．９８となり、５０層目の記録層でも記録光の光量の低下は２％に抑えられる。従って、記録光の光量の低下は、再生光の光量の低下に比べて１／８程度と大幅に小さくできる。このため、Ｔ３の範囲の膜厚を有する記録層を形成すれば、記録光でのフォーカスサーボ用の反射光を確保しながら、精度良く良好な記録及び再生が行われる。
【００８７】
次に、本発明の情報記録媒体の各構成が説明される。本実施の形態の情報記録媒体２１は、非線形吸収現象の１つである、２光子、多光子、またはプラズマ吸収過程を用いて、記録ピット５が形成される。従って、中間層２だけでなく、記録層１もλ２とλ１に対して、上記に述べられた反射光以外は殆ど損失が発生せず、効率的に３次元的な記録ピットの記録／再生が可能となる。すなわち、非線形吸収現象を用いることにより、略透明な記録層１が用いられ、高い光利用効率が達成される。ただし、例えば、２光子吸収過程を利用して記録を行うためには、記録層１は、記録光波長では略透明であるが、その半分の波長では吸収を示す記録材料が用いられる。
【００８８】
上記の情報記録媒体に、λ２＝０．７８μｍ、パルス幅が１００フェムト秒〜１０ナノ秒の、例えば、比較的ピーク光量の高い、数１００ｍＷ〜数Ｗ以上のパルスレーザ光が記録光の収束光７ａとして、対物レンズ６により所望の記録層１ｄに集光される。この記録光の集光により、例えば、非線形吸収現象の１つである２光子吸収過程によって、光子密度の高い部分（集光点及びその近傍）のみにおいて波長が半分（０．３９μｍ）になったような吸収が生じ、記録ピット５が書き込まれる。本実施の形態１では、記録ピット５は記録層１の光学定数のうち、屈折率を変化させて記録されているが、光学定数は他の特性であってもよい。ただし、記録層１の屈折率の変化を利用する方が、吸収変化を用いるよりも光の損失が少なくなるため、多層構造の記録部３を有する情報記録媒体には望ましい。また、３光子吸収のような多光子吸収が用いられても、多層構造の記録部３を有する情報記録媒体に適した記録が可能になる。例えば、３光子吸収記録では、記録光波長に対しては略透明であるが、その１／３の波長に対して吸収を示す記録材料が用いられる。また、２光子吸収過程等の非線形吸収現象を利用して記録ピットが記録される場合、記録ピット５は通常の記録の場合に比べて小さくなる（例えば、２光子吸収では記録ピット５の径は１光子吸収で記録した場合に比べて０．７１倍となる）。このため、記録光波長よりも短い再生光波長（２光子吸収では、記録光波長の約０．７倍の波長を有する再生光波長）が使用されると、記録時と再生時の実質的なスポット径が同程度に近づき、記録及び再生の最適化もしくは高密度化が図られる。
【００８９】
本実施の形態１において、各記録層１はそれぞれトラックガイド溝を具備している（図１には図示無し）。トラックピッチＴｐは、例えば０．５９μｍ、溝深さは、例えば０．４９μｍである。この溝からの±１次回折光が光検出器（図示無し）で検出されることによりトラッキング誤差信号が得られ、正確にトラック上に沿って記録再生される。
【００９０】
基板９に含まれる樹脂としては、ポリカーボネート以外にＰＭＭＡ、ノルボルネン樹脂（例えば、「アートン」（ＪＳＲ株式会社製））、またはシクロオレフィン樹脂（例えば、「ゼオネックス」（日本ゼオン株式会社製））等が用いられる。
【００９１】
記録層１は、記録材料として、例えば、フォトクロミック材料の１つであるジアリールエテンまたはその誘導体と、必要により、全体の１０〜５０ｗｔ％略透明な樹脂とを混入して形成される。フォトクロミック材料を用いることにより、フォトンモードで記録可能なライトワンスや、記録消去が可能なリライタブル記録が実現できる。これらの中でも、ジアリールエテンまたはその誘導体は熱的に安定な記録が行なえるため好ましい。
【００９２】
ジアリールエテンには色々の誘導体があり、具体的には、1,2-Bis[2-methylbenzo[b]thiophen-3-yl]-3,3,4,4,5,5-hexafluoro-1-cyclopentene、2,3-Bis(2,4,5-trimethyl-3-thienyl)maleic Anhydride、2,3-Bis(2,4,5-trimethyl-3-thienyl)maleimide、cis-1,2-Dicyano-1,2-bis(2,4,5-trimethyl-3-thienyl)ethene等が挙げられるが、本発明はこれらに限定されるものではなく、ジアリールエテンの骨格構造を有する材料であれば、特に限定されない。
【００９３】
また、ジアリールエテンまたはその誘導体と、例えば、ＰＭＭＡ（ポリメチルメタアクリレート）や紫外線硬化樹脂等の略透明な樹脂との混合により、ジアリールエテンの再結晶化の防止効果が得られる。ただし、再結晶化しない場合であれば、透明樹脂は特に必要とされず、１００％のジアリールエテンまたはその誘導体が用いられてもよい。
【００９４】
さらに、本発明の記録層は、例えば、記録光の２光子吸収過程でフォトクロミック材料を感光させる波長を高効率で発光する蛍光材料を含有してもよい。このような蛍光材料を記録層が含有すれば、記録材料の感度向上が図られるため好ましい。すなわち、フォトクロミック材料は一般的に２光子吸収過程での記録感度が低いが、蛍光材料は２光子吸収過程での記録感度が高いものがある。従って、その２光子蛍光により、一般に１光子吸収の感度は優れているフォトクロミック材料が１光子吸収過程で感光される。
【００９５】
上記のような蛍光材料としては、具体的には、例えば、ユーロピウム付活ピロ燐酸ストロンチウム・マグネシウム［（Ｓｒ，Ｍｇ）２Ｐ２Ｏ７：Ｅｕ］のような無機蛍光材料や、パラテルフェニル（ｐ−Ｔｅｒｐｈｅｎｙｌ）のような有機蛍光色素等が挙げられる。
【００９６】
本発明の記録層に用いられる他の記録材料としては、側鎖型液晶性高分子やフォトポリマー等のフォトンモードで記録される材料も好ましい。側鎖型液晶性高分子からなる記録層は、記録後の記録ピットの屈折率変化（例えば、Δｎ＝０．２）が大きいという特徴があり、また偏光方向も記録されるため、通常記録に比べて記録容量を略２倍に増やすことが可能である。またフォトポリマーはライトワンス記録に適しており、記録後に安定な材料であるため好ましい。
【００９７】
上記以外の記録層に用いられる記録材料としては、有機色素、ＺｎＯ等の超微粒子が混入された樹脂膜や、ＴｅＯ２膜等も好ましい。これら記録材料の屈折率変化を利用することにより、光の吸収損失が減少するため好ましい。本発明において、屈折率の変化量は記録光の照射方法により制御されてもよい。さらに記録光として数Ｗ〜数１０ｋＷの比較的ピークパワの高いパルス光を用い、ボイドと呼ばれる空のピットを記録してもよい。ピットがボイドの場合は、屈折率が１であるので、記録層の屈折率が、例えば１．７の場合、屈折率変化量はΔｎ＝−０．７となり、絶対値が大きくなる。このため、コントラスト良く信号が再生される。また、相変化材料は光の吸収を利用して記録されるため、層数の多い記録には適さないが、２〜６層程度の多層光ディスク用の記録層の記録材料として使用可能である。
【００９８】
記録層１の間に形成される中間層２としては、記録層１との界面で所定の反射率を得るために記録層１に使用される樹脂とは同一または異なる樹脂が用いられる。このような樹脂としては、例えば、紫外線（ＵＶ）硬化樹脂、熱硬化性樹脂、ＰＭＭＡ、ノルボルネン樹脂、またはシクロオレフィン樹脂等の透明樹脂が用いられる。
【００９９】
なお、本実施の形態では、対物レンズ６からの収束光７ａが既に記録された記録ピットを通過しない順序で、記録層１中に、順次、記録ピット５が３次元的に記録された。このような順序で記録ピット５が記録されることにより、例えば、ターゲット層１ｄにおいて、ターゲット層１ｄより上層の記録層１ｅ、及び１ｆの記録済の記録ピット５を透過することによって発生する散乱光、不要回折光等の迷光（ノイズ光）の影響を減らす効果（ＳＮ比向上）が得られる。具体的には、例えば、記録層１中の、対物レンズ６から最も離れた位置（図１では、記録層１ａ）から順次記録ピット５が記録されれば、既に記録済みの記録ピットを通過することなく、他の記録ピット５が記録される。図１の構成では順に１ａの列、１ｂの列、１ｃの列というように、ｚ軸方向に３次元的に記録すればよい。
【０１００】
本実施の形態の情報記録媒体２１の製造方法としては、従来公知の製法を採用することができる。具体的には、図６に示されるように、基板９に、例えばスピンコート等の塗布により、記録層１ａが形成され（図６Ｂ）、その上に、例えば塗布により、中間層２ａが形成される（図６Ｃ）。そして、その中間層２ａ上に、同様にして、記録層１ｂ、中間層２ｂ、記録層１ｃ、・・・、が繰り返し形成される。最後に、保護層４が、例えば塗布や、フィルム形成法により、光の入射側に形成される（図６Ｄ）。塗布法によって、記録層１と中間層２が形成されることにより、情報記録媒体の作製が容易で、低コスト化が可能になる。
【０１０１】
本実施の形態において、中間層２及び記録層１は余剰に形成されてもよい。そして、余剰に形成された中間層２及び記録層１の部分（つまり記録部の一部であって、光が入射する側の部分）が保護層４として使用されてもよい。この記録部の構成によれば、別工程での保護層４の形成が不要となり、記録部３と実質的に同じ材料からなる保護層が形成される。
【０１０２】
次に、本実施の形態の情報記録媒体に記録ピットを記録及び／または再生するための光学情報記録再生装置が説明される。図７に示されるように、本実施の形態の光学情報記録再生装置７０は、記録用光源２０ａと再生用光源２０ｂのそれぞれ波長が異なる２種類の光源を有している。そして、光源２０ａ、２０ｂから情報記録媒体２１までの光路中に、ビームスプリッタ１８ａ、コリメータレンズ１６、ビームスプリッタ１８ｂ、立ち上げミラー１２、波長板１０、球面収差補正素子１３、及び対物レンズ６が配置されている。
【０１０３】
復路における、ビームスプリッタ１８ｂから光検出器１９までの光路には、フォーカス／トラック誤差信号検出素子１５、検出レンズ１１、及び情報記録媒体２１の層間クロストークを小さくするピンホール１４が配置されている。
【０１０４】
記録用光源２０ａは、パルス幅が、例えば１００フェムト秒から１０ナノ秒で波長λ２が０．７８μｍの記録光を出射する半導体パルスレーザ光源である。再生用光源２０ｂは、例えば、波長λ１が０．６６μｍの再生光を出射する半導体レーザ光源である。記録用光源２０ａの波長よりも短い波長を出射する再生用光源が使用されることにより、２光子吸収記録や多光子吸収記録、プラズマ吸収記録のような非線形記録において、記録密度がより高密度化される。なお、両光源がアレイ化された光源が用いられてもよい。
【０１０５】
波長板１０は、図７に示されるように、対物レンズ６と光源２０までの記録再生光の共通光路に配置されている。この波長板１０は両波長の違いを利用して、記録光２２ａに対しては実質的にλ／４板か、またはそれに近くなるように設計され、再生光２２ｂに対しては実質的にλ／２板もしくはλ板となるか、またはそれに近くなるように設計されている。また、ビームスプリッタ１８ａも、両波長の違いを利用して、記録光２２ａは透過、再生光２２ｂは反射し、さらに、ビームスプリッタ１８ｂも、波長の違いを利用して、記録光２２ａに対しては偏光ビームスプリッタで、再生光２２ｂに対しては、偏光方向にほとんど依存しない、ハーフミラーとして機能するように設計されている。
【０１０６】
本実施の形態の光学情報記録再生装置７０は、図７に示されるように、記録時においては、記録用光源２０ａからＹ軸方向に出射された直線偏光でピークパワの比較的大きなパルスレーザ光の記録光２２ａが、まずビームスプリッタ１８ａを通過する。そして、記録光２２ａはコリメータレンズ１６により、略平行光となり、ビーム分岐素子であるビームスプリッタ１８ｂを透過して、立ち上げミラー１２によって光路を−Ｚ軸方向に折り曲げられる。そして、−Ｚ軸方向に折り曲げられた記録光２２ａ（レーザ光８）は、波長板１０で実質的に円偏光に変換され、球面収差補正素子１３を通過して、例えば、開口数ＮＡ＝０．８５、焦点距離２ｍｍの対物レンズ６によって、これまでに説明した構成を有する情報記録媒体２１の保護層４を通過して記録部３の所望の記録層１ｂに集光する（収束光７ａ）。そして、その反射光７ａ’を利用してフォーカスサーボ、及びトラックサーボを行いながら、２光子または多光子吸収過程等のような非線形現象を用いて、記録層１に、記録ピット５の列が記録される。本実施の形態では、記録光波長に対する未記録領域の反射率が再生光波長に対する未記録領域の反射率より小さい情報記録媒体が使用されているため、記録層の最下層（図７では記録層１ａ）においても、記録パワの低下が低減され記録ピット５が精度良く記録される。
【０１０７】
このとき、収束光７ａが通過する記録部３の厚さが記録深さにより異なるので、光源２０から対物レンズ６までの光路中に設けた球面収差補正素子１３で記録部３中の記録される情報ピット５の記録深さに応じて、球面収差補正素子１３で球面収差量を制御しながら記録するようにすれば、良好な記録ピット５が精度良く形成される。球面収差補正素子１３は、屈折率分布が可変である液晶素子や、凹レンズと凸レンズを組み合わせてアクチュエータで両レンズの光軸方向の間隔が可変なビームエキスパンダー等が用いられる。
【０１０８】
再生時においては、再生用光源２０ｂから出射された直線偏光のレーザ光である再生光２２ｂは、ビームスプリッタ１８ａによりＹ軸方向に折り曲げられ、同じく、コリメータレンズ１６により、略平行光となり、ビームスプリッタ１８ｂを透過して、立ち上げミラー１２によって光路を−Ｚ軸方向に折り曲げられる。そして、−Ｚ軸方向に折り曲げられた再生光２２ｂ（レーザ光８）は、波長板１０、球面収差補正素子１３を通過して、直線偏光のまま、対物レンズ６によって情報記録媒体２１の記録部３の記録層１の記録ピット５に集光（収束光７ｂ）する。そして、記録ピット５によって反射されたレーザ光７ｂ’は、逆方向に折り返し、対物レンズ６、球面収差補正素子１３、波長板１０、立ち上げミラー１２を順に通過し、ビームスプリッタ１８ｂにより光軸をＺ軸方向に曲げられ、回折型フォーカス／トラック誤差信号検出素子１５によって、複数の光に分岐され、検出レンズ１１により検出収束光１７、１７’となる。再生信号光となる検出収束光１７はピンホール１４を通過して光検出器１９ａにより信号が検出される。分岐されたフォーカス／トラック誤差信号となる検出収束光１７’は、ピンホールを通過させずに、別の光検出器１９ｂで検出される。フォーカス／トラック誤差信号となる検出収束光１７’は、ピンホールを通過させない構成により、非点収差法、ＳＳＤ法（スポット・サイズ・ディテクション法）、３ビームトラッキング法のような従来方法で、それぞれフォーカスやトラック誤差信号が検出される。すなわち反射光７ａ’、７ｂ’を利用してフォーカスサーボ、及びトラックサーボを行いながら、記録層の光学定数の変化を利用することにより記録ピットが記録／再生される。
【０１０９】
検出レンズ１１の焦点距離は、例えば３３ｍｍであり、光検出器１９側でのエアリーディスク径は例えば９．６μｍである。ピンホール１４は、検出収束光１７の略焦点の位置に設置されているが、ピンホール１４を設けることにより、所望の記録層１ｂの光軸方向の上下の記録層１ａ、１ｃ、１ｄにおける対物レンズ６の収束光７が照射する別の記録ピットからの不要反射光であるクロストーク光（層間クロストーク）がピンホール１４の外部に分布する。それらの光はピンホール１４内に入らなくなるため、層間クロストークが減少する。また、ピンホール１４の代わりに、光検出器の受光部がピンホール径の大きさを有する光検出器１９ａにより、検出収束光１７を検出するようにしても同様の効果が得られる。
【０１１０】
本実施の形態では、ピンホール１４の大きさが再生信号光の検出収束光１７のエアリーディスク径の５倍以下であれば、例えば、記録層１の層間隔Δｄが５〜８μｍでも問題ないレベル（層間クロストーク量≦３０ｄＢ）まで再生信号の品質が向上された。ただし、ピンホール１４の大きさを小さくして、記録層１の間隔（中間層２の膜厚）をより小さくすることは可能であるが、小さくし過ぎると、ピンホール１４に入る光量が減少したり、環境温度により、光学系が歪んで、検出収束光１７が、ピンホール１４の中心からずれる傾向がある。また、光量が低下する場合、ＡＰＤ（アバランシェフォトダイオード）を使用することにより信号強度が強められる。このため、本発明のような３次元多層記録再生装置において、材料の制限で検出光量が低下しすぎるときはＡＰＤの利用が効果的である。
【０１１１】
また、上記形態の光学情報記録再生装置は、さらに記録時に、記録光２２ａとともに再生光２２ｂも出射させて、上記再生光７ｂによりフォーカスサーボを行ってもよい。すなわち、記録時に再生光を出射し、収束光７ｂを所望の記録層１ｂに集光してその反射光７ｂ’を利用してフォーカスサーボを行いながら、収束光７ａを所望の記録層１ｂに集光して記録ピット５を記録することもできる。既述したように、記録層の膜厚が記録光波長に対して低い反射率を示す範囲であれば、最下層の記録層においても記録光のパワの低下が抑えられるが、記録光を利用したフォーカスサーボは困難となる傾向がある。このため記録時に、再生光を利用してフォーカスサーボを行えば、フォーカスサーボ用の反射光を確保しつつ、最下層の記録層１ａに記録ピット５が一層精度良く記録される。特に、非線形吸収現象が利用される場合、例えば２光子吸収過程が利用される場合では、記録感度は光量の２乗特性となる。従って、再生光によってフォーカスサーボが行われれば、フォーカスサーボによる記録光の減衰が抑えられるため、その効果が大きい。このような記録時に再生光によりフォーカスサーボを行う光学情報記録再生装置に用いられる情報記録媒体２１は、特に、λ２に対する未記録領域の反射率が、例えば、０．０１％以下と小さくなる記録層の膜厚（すなわち、記録光だけではフォーカスサーボが困難になる膜厚）を有することが好ましい。このような記録層の膜厚は、λ２に対する未記録領域の反射率の変位を考慮すれば、以下の式（５）を満たす範囲で表される。
【０１１２】
（ｑ−０．１０４）λ２／（４ｎ）≦ｔ≦（ｑ＋０．１０４）λ２／（４ｎ）    （５）
式中、λ２は記録光波長、ｎは記録層の未記録領域の屈折率、ｑは任意の正の偶数である。
【０１１３】
例えば、本実施の形態で使用される再生光波長λ１が０．６μｍ≦λ１≦０．７μｍ、記録光の波長λ２が０．７３μｍ≦λ２≦０．８３μｍの範囲の場合は、ｑ＝４、すなわち以下の式（６）を満たす範囲の膜厚ｔに設定される。
【０１１４】
３．９０λ２／（４ｎ）≦ｔ≦４．１０λ２／（４ｎ）    （６）
上記で説明された屈折率ｎを有する記録層の場合、Ｈ→ＬとＬ→Ｈのどちらの特性を有する情報記録媒体においても、式（６）を満たす記録層の膜厚の範囲は、０．４９μｍ≦ｔ≦０．５２μｍとなる。この膜厚ｔの範囲は、上記したλ１に対する未記録領域の反射率を確保でき、かつ、良好な再生信号強度（最大反射率ｒ１ｍａｘの０．７倍以上）が確保される、前述した図４Ａ、及び図５Ａに図示したより好ましい膜厚Ｔｒ３の範囲内にも含まれる。従って、記録時に、再生光でフォーカスサーボを行っても、記録光の光量の低下が抑えられているため下層の記録層でも光源のピークパワを調整することなく、精度良く記録ピットが記録される。そして、再生時には、再生光の反射率を記録光の反射率よりも大きくしているため、再生光でフォーカスサーボが行われる。なお、再生時に、下層の記録層で光量が不足する場合には、再生用光源は記録用光源に比べて低パワであり調整により容易に光量を上げることができるため、ターゲットである記録層が対物レンズから離れるに従い、所望の反射光強度が得られるよう必要によりパワ調整すれば、光量の不足も改善される。また、図４及び図５の対比から理解されるように、Ｈ→Ｌの特性を有する情報記録媒体の方がＬ→Ｈの特性を有する情報記録媒体より記録後の反射率が低くなり、記録前後で大きな反射率の差が得られ、その結果、変調率を大きくできるため好ましい。
【０１１５】
（実施の形態２）
次に、本発明の実施の形態２の情報記録媒体が説明される。実施の形態２は、記録光波長λ２よりも短い再生光波長λ１が使用される点は実施の形態１と同様であるが、再生光波長が０．３５μｍ≦λ１≦０．４５μｍを満たし、記録光波長が０．６μｍ≦λ２≦０．７μｍを満たす記録光及び再生光が利用される点で異なる。このような波長を有する光源としては、具体的には、例えば、λ１＝０．４０５μｍの半導体レーザ、及びλ２＝０．６６μｍの半導体レーザが挙げられる。
【０１１６】
図８から図１１は、本実施の形態２の情報記録媒体を詳細に説明する図面である。図８Ａ及び図８Ｂは、本発明の実施の形態２に係る情報記録媒体の記録層の膜厚と、記録層の未記録領域での再生光及び記録光の反射率との関係の一例を示している。図９Ａ及び図９Ｂは、本発明の実施の形態２に係る情報記録媒体の記録層の膜厚と、記録層の未記録領域での再生光及び記録光の反射率との関係の他の一例を示している。図１０Ａは、図８Ａの情報記録媒体の記録層の膜厚と、記録層の未記録領域及び記録済領域での再生光の反射率との関係を示しており、図１０Ｂは、図８Ａの情報記録媒体の記録層の膜厚と、記録層の未記録領域及び記録済領域での記録光の反射率との関係を示している。図１１Ａは、図９Ａの情報記録媒体の記録層の膜厚と、記録層の未記録領域及び記録済領域での再生光の反射率との関係を示しており、図１１Ｂは、図９Ａの情報記録媒体の記録層の膜厚と、記録層の未記録領域及び記録済領域での記録光の反射率との関係を示している。
【０１１７】
まず、実施の形態１の情報記録媒体と同様に、Ｈ→Ｌ（ｎ＜ｎ１＜ｎ２）の特性を有する情報記録媒体において、例えば、各屈折率が、ｎ＝１．５５、ｎ１＝１．６０、及びｎ２＝１．６４である場合、図８Ａ及び図８Ｂに点線、及び実線で示されるように、記録層の膜厚と、λ１（０．４０５μｍ）とλ２（０．６６μｍ）に対する未記録領域２４の反射率との関係は、正弦波状の周期的な変化を示すことが確認された。この反射率の変位は実施の形態１と同じ、Ｒ１（ｔ）＝ｒ１ｍａｘ［１−ｃｏｓ（４ｎπｔ／λ１）］／２、Ｒ２（ｔ）＝ｒ２ｍａｘ［１−ｃｏｓ（４ｎπｔ／λ２）］／２で表される。そして、最大反射率は、ｒ１ｍａｘ＝ｒ２ｍａｘ＝０．３２％であり、最小反射率は、ｒ１ｍｉｎ＝ｒ２ｍｉｎ＝０％である。
【０１１８】
次に、Ｌ→Ｈ（ｎ１＞ｎ＞ｎ２）の特性を有する情報記録媒体において、例えば、各屈折率が、ｎ＝１．５５、ｎ１＝１．６０、及びｎ２＝１．４６である場合、図９Ａ及び図９Ｂの点線及び実線に示されるように、各反射率は実施の形態１と同様の正弦波状の周期的な変化を示すことが確認された。すなわち、それぞれ、Ｒ１（ｔ）＝ｒ１ｍａｘ［１−ｃｏｓ（４ｎπｔ／λ１）］／２、Ｒ２（ｔ）＝ｒ２ｍａｘ［１−ｃｏｓ（４ｎπｔ／λ２）］／２で表される。ここで、最大反射率は、ｒ１ｍａｘ＝ｒ２ｍａｘ＝０．３６％であり、最小反射率は、ｒ１ｍｉｎ＝ｒ２ｍｉｎ＝０％である。
【０１１９】
従って、図８Ｂ及び図９Ｂに示されるように、点線で示される記録層の膜厚に対する記録層の未記録領域におけるλ１の反射率の変位Ｒ１（ｔ）が、実線で示される記録層の膜厚に対する記録層の未記録領域におけるλ２の反射率の変位Ｒ２（ｔ）より大きくなる膜厚の範囲であれば、本実施の形態の再生光波長及び記録光波長が使用される場合に、λ２に対する未記録領域の反射率が、λ１に対する未記録領域の反射率よりも小さくなる。すなわち、実施の形態１と同様に、式（１）を満たす記録層の膜厚であれば、フォーカスサーボ用の反射光を確保しつつ、高精度に良好な記録再生を行うことができる。
【０１２０】
両反射率曲線の交点における膜厚ｔｉは、どちらの場合においても同じで、小さい方から順に、ｔ０＝０μｍ、ｔ１＝０．０８μｍ、ｔ２＝０．１６μｍ、ｔ３＝０．２４μｍ、ｔ４＝０．３２μｍ、ｔ５＝０．３４μｍ、ｔ６＝０．４０μｍ、ｔ７＝０．４８μｍ、ｔ8＝０．５７μｍ、ｔ９＝０．６７μｍ・・・、である。従って、点線で示されたλ１に対する反射率曲線が、実線で示されたλ２に対する反射率曲線より大きくなる記録層の膜厚の範囲は、図８Ｂと図９Ｂにそれぞれ横方向の矢印で示された、Ｔ１、Ｔ２、Ｔ３、・・・、の範囲である。ｔｉを用いて表される各範囲は、実施の形態１における式（２）の条件と同じように、ｔ０＜Ｔ１＜ｔ１、ｔ２＜Ｔ２＜ｔ３、ｔ４＜Ｔ３＜ｔ５、ｔ６＜Ｔ４＜ｔ７、・・・、となる。
【０１２１】
記録層１に記録ピット５が記録され、再生される場合についても、実施の形態１の場合と同様に説明される。すなわち、Ｈ→Ｌ（ｎ＜ｎ１＜ｎ２）の特性を有する情報記録媒体において、例えば、各屈折率が、ｎ＝１．５５、ｎ１＝１．６０、及びｎ２＝１．６４である場合、λ１に対する未記録領域２４及び記録済領域２３の各反射率は、図１０Ａにそれぞれ点線及び実線で示されるように、正弦波状に周期的な変化を示すことが確認された。この情報記録媒体はＨ→Ｌの特性を有するため、未記録領域２４における最大反射率はｒ１ｍａｘ＝０．３２％であるが、記録ピット５である記録済領域２３での最大反射率はｒ１ｍａｘ＝０．０６％に低下する（最小反射率はいずれも０％である）。そして、図１０Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。
【０１２２】
従って、本実施の形態においても、実施の形態１と同様に、未記録領域２４における再生光の反射率が、最大反射率の０．７倍以上得られる好ましい記録膜の膜厚は、式（３）を満たす範囲となる。
【０１２３】
（ｐ−０．３６９）λ１／（４ｎ）≦ｔ≦（ｐ＋０．３６９）λ１／（４ｎ）    （３）
具体的な記録層の膜厚は、例えば、図１０Ａに横方向の矢印で示された、Ｔａ、Ｔｂ、Ｔｃ、・・・、（・・・は繰り返しを意味する）の範囲で、０．０４μｍ≦Ｔａ≦０．０９μｍ、０．１７μｍ≦Ｔｂ≦０．２２μｍ、０．３０μｍ≦Ｔｃ≦０．３５μｍ、０．４３μｍ≦Ｔｄ≦０．４８μｍ、０．５６μｍ≦Ｔｅ≦０．６１μｍ、・・・、である。
【０１２４】
以上の結果を考え合わせると、本実施の形態のＨ→Ｌ（ｎ＜ｎ１＜ｎ２）の特性を有する情報記録媒体において、より好ましい記録層１の膜厚の範囲は、実施の形態１と同様に、未記録領域２４のλ２に対する反射率がλ１に対する反射率よりも小さくなるＴ１、Ｔ２、Ｔ３、・・・、で表される範囲と、良好な再生信号強度（最大値の０．７倍以上）が確保できるＴａ、Ｔｂ、Ｔｃ、・・・、で表される範囲を同時に満たす範囲となる。具体的に、両膜厚の範囲を同時に満たすより好ましい膜厚は、図１０Ａの横方向の矢印で示された、膜厚が小さい方から順に、例えば、０．０４μｍ≦Ｔｒ１＜０．０８μｍ、０．１７μｍ≦Ｔｒ２≦０．２２μｍ、０．３２μｍ＜Ｔｒ３＜０．３４μｍ、０．４３μｍ≦Ｔｒ４＜０．４８μｍ、０．５７μｍ＜Ｔｒ５≦０．６１μｍ、・・・、（・・・は繰り返しを意味する）を満たす、Ｔｒ１、Ｔｒ２、Ｔｒ３、Ｔｒ４、Ｔｒ５、・・・、となる。
【０１２５】
次に、Ｌ→Ｈ（ｎ１＞ｎ＞ｎ２）の特性を有する情報記録媒体において、例えば、各屈折率が、ｎ＝１．５５、ｎ１＝１．６０、ｎ２＝１．４６である場合、λ１に対する未記録領域２４及び記録済領域２３の反射率は、図１１Ａにそれぞれ点線、実線で示されるように正弦波状に周期的な変化を示すことが確認された。この情報記録媒体はＬ→Ｈの特性を有するため、未記録領域２４の最大反射率はｒ１ｍａｘ＝０．３６％であるが、記録ピット５の記録済領域２３での反射率は最大値ｒ１ｍａｘ＝０．８３％に増加する（最小値はいずれも０％である）。そして、図１１Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。
【０１２６】
従って、本実施の形態においても、実施の形態１と同様に、記録済領域２３における再生光の反射率が、最大反射率の０．７倍以上得られる好ましい記録膜の膜厚は、式（４）を満たす範囲となる。
【０１２７】
（ｐ−０．３６９）λ１／（４ｎ１）≦ｔ≦（ｐ＋０．３６９）λ１／（４ｎ１）    （４）
具体的な記録層の膜厚は、例えば、図１１Ａに横方向の矢印で示された、Ｔａ、Ｔｂ、Ｔｃ、・・・、（・・・は繰り返し意味する）の範囲で、０．０４μｍ≦Ｔａ≦０．０９μｍ、０．１７μｍ≦Ｔｂ≦０．２１μｍ、０．２９μｍ≦Ｔｃ≦０．３４μｍ、０．４２μｍ≦Ｔｄ≦０．４７μｍ、０．５５μｍ≦Ｔｅ≦０．５９μｍ、・・・、である。
【０１２８】
以上の結果を考え合わせると、Ｌ→Ｈ（ｎ１＞ｎ＞ｎ２）特性を有する情報記録媒体において、より好ましい各記録層１の膜厚の範囲は、良好な再生信号強度（最大反射率ｒ１ｍａｘの０．７倍以上）が確保され、かつ、未記録領域２４のλ２に対する反射率がλ１に対する反射率よりも小さくなる範囲である。すなわち、Ｔ１、Ｔ２、Ｔ３、・・・、で表される範囲と、Ｔａ、Ｔｂ、Ｔｃ、・・・、で表される範囲を同時に満たす膜厚の範囲が望ましい。具体的には、両膜厚の範囲を同時に満たすより好ましい範囲の膜厚は、図１１Ａの横方向の矢印で示された、膜厚が小さい方から順に、例えば、０．０４μｍ≦Ｔｒ１＜０．０８μｍ、０．１７μｍ≦Ｔｒ２≦０．２１μｍ、０．３２μｍ＜Ｔｒ３＜０．３４μｍ、０．４２μｍ≦Ｔｒ４≦０．４７μｍ、０．５７μｍ＜Ｔｒ５≦０．５９μｍ、・・・、（・・・は繰り返しを意味する）を満たす、Ｔｒ１、Ｔｒ２、Ｔｒ３、Ｔｒ４、Ｔｒ５、・・・、となる。
【０１２９】
なお、本実施の形態の記録光波長及び再生光波長の範囲内であっても、波長や屈折率の組み合わせでより好ましい膜厚の範囲が異なることは言うまでもない。
【０１３０】
また、上記各Ｔｒの範囲の中でも、製造の点から、Ｈ→ＬとＬ→Ｈのどちらの特性を有する情報記録媒体も、記録層の膜厚は例えば、０．６μｍ以下とある程度薄い方が作りやすい。このため、記録層１の膜厚の範囲は、上記の各結果と、図１０Ａ及び図１１Ａに示された、Ｔｒ１、Ｔｒ２、Ｔｒ３、Ｔｒ４、またはＴｒ５の辺りに設定することが好ましい。
【０１３１】
また、本実施の形態の記録光及び再生光のように、再生光波長λ１が０．３５μｍ≦λ１≦０．４５μｍを満たし、記録光波長λ２が０．６μｍ≦λ２≦０．７μｍを満たす関係の場合には、Ｈ→ＬまたはＬ→Ｈの特性を有する情報記録媒体のどちらであっても、図８、及び図９（λ１＝０．４０５μｍ、λ２＝０．６６μｍ）に示されるように、特に、Ｔ２（ｔ２〜ｔ３）とＴ４（ｔ６〜ｔ７）、すなわち、式（２）におけるｉが１または３の範囲において、実線で示されたλ２に対する未記録領域２４の反射率は、点線で示されたλ１に対する未記録領域２４の反射率よりも大幅に小さくできることが理解される。例えば、記録層１の膜厚が、Ｔ２の領域の３λ１／（４ｎ）＝０．２０μｍに設定された場合（この膜厚は、前述した、より好ましい記録層１の膜厚Ｔｒ２に含まれる）、λ１に対する未記録領域２４の反射率は、Ｈ→Ｌの情報記録媒体が、０．３２％、Ｌ→Ｈの情報記録媒体が、０．３６％となる。これに対し、λ２に対する未記録領域２４の反射率は、どちらも略同じで０．０２％である。このように、いずれの場合でもλ２に対する未記録領域２４の反射率がλ１に対する未記録領域の反射率より顕著に小さい情報記録媒体が得られる。
【０１３２】
また、記録層１の膜厚が、Ｔ４の範囲内の、例えば、７λ１／（４ｎ）＝０．４６μｍに設定された場合（この膜厚は、前述した、より好ましい記録層１の膜厚Ｔｒ４の範囲に含まれる）、λ１に対する未記録領域２４の反射率は、Ｈ→Ｌの情報記録媒体が、０．３２％、Ｌ→Ｈの情報記録媒体が、０．３６％となる。これに対し、λ２に対する未記録領域２４の反射率は、Ｈ→Ｌの情報記録媒体が、０．０６％、Ｌ→Ｈの情報記録媒体が、０．０７％である。従って、再生光の光量の低下に比べて記録光の光量の低下が大幅に抑えられた情報記録媒体が得られる。なお、より好ましい膜厚の範囲は波長や屈折率の組み合わせで異なることは言うまでもない。
【０１３３】
本実施の形態の情報記録媒体の製造方法や光学情報記録再生装置は実施の形態１で説明された構成と同様のものが使用される。
【０１３４】
さらに、本実施の形態においても、実施の形態１と同様に、記録時に、記録光と再生光の両方を出射させて、再生光を所望の記録層に集光してその反射光を利用してフォーカスサーボを行なってもよい。このとき、λ２に対する反射率が、例えば、０．０１％以下と小さくなる膜厚は、実施の形態１と同様に、式（５）を満たす範囲となる。
【０１３５】
（ｑ−０．１０４）λ２／（４ｎ）≦ｔ≦（ｑ＋０．１０４）λ２／（４ｎ）    （５）
従って、再生光波長が０．３５μｍ≦λ１≦０．４５μｍを満たし、記録光波長が０．６μｍ≦λ２≦０．７μｍを満たす記録光及び再生光が使用される場合、例えば、ｑ＝２、すなわち以下の式（７）を満たす範囲の膜厚ｔを有する記録層が好ましい。
【０１３６】
１．９０λ２／（４ｎ）≦ｔ≦２．１０λ２／（４ｎ）    （７）
例えば、上記で説明された屈折率ｎを有する記録層の場合、Ｈ→ＬとＬ→Ｈのどちらの特性を有する情報記録媒体においても、式（７）を満たす記録層の膜厚の範囲は、０．２０μｍ≦ｔ≦０．２２μｍとなる。この膜厚の範囲は、前述した図１０Ａ、及び図１１Ａで示されたより好ましい膜厚Ｔｒ２の範囲内に含まれる。
【０１３７】
あるいは、本実施の形態の場合、ｑ＝４、すなわち以下の式（８）を満たす範囲の膜厚ｔを有する記録層が好ましい。
【０１３８】
３．９０λ２／（４ｎ）≦ｔ≦４．１０λ２／（４ｎ）    （８）
この場合、上記記録層の屈折率で、式（８）を満たす膜厚の範囲は、０．４１μｍ≦ｔ≦０．４４μｍとなる。この膜厚の範囲で、図１０Ａあるいは図１１Ａに示されたより好ましい膜厚Ｔｒ３の範囲と共通する範囲は、Ｈ→Ｌの情報記録媒体では、０．４３μｍ≦ｔ≦０．４４μｍ、Ｌ→Ｈの情報記録媒体では、０．４２μｍ≦ｔ≦０．４４μｍとなる。
【０１３９】
（実施の形態３）
次に、本発明の実施の形態３の情報記録媒体が説明される。実施の形態３は、記録光波長λ２よりも短い再生光波長λ１が使用される点は実施の形態１と同様であるが、再生光波長が０．４８μｍ≦λ１≦０．５８μｍを満たし、記録光波長が０．６μｍ≦λ２≦０．７μｍを満たす記録光及び再生光が利用される点で異なる。このような波長を有する光源としては、具体的には、例えば、λ１＝０．５３２μｍのＮｄ：ＹＡＧ−ＳＨＧレーザ、及びλ２＝０．６６μｍの半導体レーザが挙げられる。
【０１４０】
図１２から図１５は、本実施の形態３の情報記録媒体を詳細に説明する図面である。図１２Ａ及び図１２Ｂは、本発明の実施の形態３に係る情報記録媒体の記録層の膜厚と、記録層の未記録領域での再生光及び記録光の反射率との関係の一例を示している。図１３Ａ及び図１３Ｂは、本発明の実施の形態３に係る情報記録媒体の記録層の膜厚と、記録層の未記録領域での再生光及び記録光の反射率との関係の他の一例を示している。図１４Ａは、図１２Ａの情報記録媒体の記録層の膜厚と、記録層の未記録領域及び記録済領域での再生光の反射率との関係を示しており、図１４Ｂは、図１２Ａの情報記録媒体の記録層の膜厚と、記録層の未記録領域及び記録済領域での記録光の反射率との関係を示している。図１５Ａは、図１３Ａの情報記録媒体の記録層の膜厚と、記録層の未記録領域及び記録済領域での再生光の反射率との関係を示しており、図１５Ｂは、図１３Ａの情報記録媒体の記録層の膜厚と、記録層の未記録領域及び記録済領域での記録光の反射率との関係を示している。
【０１４１】
まず、実施の形態１の情報記録媒体と同様に、Ｈ→Ｌ（ｎ＜ｎ１＜ｎ２）の特性を有する情報記録媒体において、例えば、各屈折率が、ｎ＝１．５５、ｎ１＝１．６０、ｎ２＝１．６４である場合、図１２Ａ及び図１２Ｂに点線、及び実線で示されるように、λ１（０．５３２μｍ）とλ２（０．６６μｍ）に対する未記録領域２４の反射率は、正弦波状の周期的な変化を示すことが確認された。この反射率の変位は実施の形態１と同じ、Ｒ１（ｔ）＝ｒ１ｍａｘ［１−ｃｏｓ（４ｎπｔ／λ１）］／２、Ｒ２（ｔ）＝ｒ２ｍａｘ［１−ｃｏｓ（４ｎπｔ／λ２）］／２で表される。そして、最大反射率は、ｒ１ｍａｘ＝ｒ２ｍａｘ＝０．３２％、最小反射率は、ｒ１ｍｉｎ＝ｒ２ｍｉｎ＝０％である。
【０１４２】
次に、Ｌ→Ｈ（ｎ１＞ｎ＞ｎ２）の特性を有する情報記録媒体において、例えば、各屈折率が、ｎ＝１．５５、ｎ１＝１．６０、ｎ２＝１．４６である場合、図１３Ａ及び図１３Ｂに示されるように、各反射率は同様の正弦波状の周期的な変化を示すことが確認された。すなわち、それぞれ、Ｒ１（ｔ）＝ｒ１ｍａｘ［１−ｃｏｓ（４ｎπｔ／λ１）］／２、Ｒ２（ｔ）＝ｒ２ｍａｘ［１−ｃｏｓ（４ｎπｔ／λ２）］／２で表される。ここで、最大反射率は、ｒ１ｍａｘ＝ｒ２ｍａｘ＝０．３６％、最小反射率は、ｒ１ｍｉｎ＝ｒ２ｍｉｎ＝０％である。
【０１４３】
従って、図１２Ｂ及び図１３Ｂに示されるように、点線で示される記録層の膜厚に対する記録層の未記録領域におけるλ１の反射率の変位Ｒ１（ｔ）が、実線で示される記録層の膜厚に対する記録層の未記録領域におけるλ２の反射率の変位Ｒ２（ｔ）より大きくなる膜厚の範囲であれば、本実施の形態の再生光波長及び記録光波長が使用される場合に、λ２に対する未記録領域の反射率が、λ１に対する未記録領域の反射率よりも小さくなる。すなわち、実施の形態１と同様に、式（１）を満たす記録層の膜厚であれば、フォーカスサーボ用の反射光を確保しつつ、高精度に良好な記録再生を行うことができる。
【０１４４】
両反射率曲線の交点における膜厚ｔｉは、どちらの場合においても同じで、小さい方から順に、ｔ０＝０μｍ、ｔ１＝０．１０μｍ、ｔ２＝０．１９μｍ、ｔ３＝０．２９μｍ、ｔ４＝０．３８μｍ、ｔ５＝０．４８μｍ、ｔ６＝０．５７μｍ、ｔ７＝０．６７μｍ、ｔ８＝０．７６μｍ、ｔ９＝０．８８μｍ、・・・、である。従って、点線で示されたλ１に対する反射率曲線が、実線で示されたλ２に対する反射率曲線より大きくなる記録層の膜厚の範囲は、図１２Ｂと図１３Ｂにそれぞれ横方向の矢印で示された、Ｔ１、Ｔ２、Ｔ３、・・・、の範囲である。ｔｉを用いて表される各範囲は、実施の形態１における式（２）の条件と同じように、ｔ０＜Ｔ１＜ｔ１、ｔ２＜Ｔ２＜ｔ３、ｔ４＜Ｔ３＜ｔ５、ｔ６＜Ｔ４＜ｔ７、・・・、となる。
【０１４５】
記録層１に記録ピット５が記録され、再生される場合についても、実施の形態１の場合と同様に説明される。すなわち、Ｈ→Ｌ（ｎ＜ｎ１＜ｎ２）の特性を有する情報記録媒体において、例えば、各屈折率が、ｎ＝１．５５、ｎ１＝１．６０、ｎ２＝１．６４である場合、λ１に対する未記録領域２４及び記録済領域２３の各反射率は、図１４Ａにそれぞれ点線、実線で示されるように正弦波状に周期的に変化することが確認された。この情報記録媒体はＨ→Ｌの特性を有するため、未記録領域２４の最大反射率はｒ１ｍａｘ＝０．３２％であるが、記録ピット５である記録済領域２３での反射率は最大値ｒ１ｍａｘ＝０．０６％に低下する（最小値はいずれも０％である）。そして、図１４Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。
【０１４６】
従って、本実施の形態においても、実施の形態１と同様に、未記録領域２４における再生光の反射率が、最大反射率の０．７倍以上得られる好ましい記録膜の膜厚は、式（３）を満たす範囲となる。
【０１４７】
（ｐ−０．３６９）λ１／（４ｎ）≦ｔ≦（ｐ＋０．３６９）λ１／（４ｎ）    （３）
具体的な記録層の膜厚は、例えば、図１４Ａに横方向の矢印で示された、Ｔａ、Ｔｂ、Ｔｃ、・・・、（・・・は繰り返しを意味する）の範囲で、０．０５μｍ≦Ｔａ≦０．１２μｍ、０．２３μｍ≦Ｔｂ≦０．２９μｍ、０．４０μｍ≦Ｔｃ≦０．４６μｍ、０．５７μｍ≦Ｔｄ≦０．６３μｍ、０．７４μｍ≦Ｔｅ≦０．８０μｍ、・・・、である。
【０１４８】
以上の結果を考え合わせると、本実施の形態のＨ→Ｌ（ｎ＜ｎ１＜ｎ２）の特性を有する情報記録媒体において、より好ましい各記録層１の膜厚の範囲は、実施の形態１と同様に、未記録領域２４のλ２に対する反射率がλ１に対する反射率よりも小さくなるＴ１、Ｔ２、Ｔ３、・・・、で表される範囲と、良好な再生信号強度（最大値の０．７倍以上）が確保できるＴａ、Ｔｂ、Ｔｃ、・・・、で表される範囲とを同時に満たす範囲となる。具体的に、両膜厚の範囲を同時に満たすより好ましい範囲の膜厚は、図１４Ａの横方向の矢印で示される、膜厚が小さい方から順に、例えば、０．０５μｍ≦Ｔｒ１＜０．１０μｍ、０．２３μｍ≦Ｔｒ２＜０．２９μｍ、０．４０μｍ≦Ｔｒ３≦０．４６μｍ、０．５７μｍ＜Ｔｒ４≦０．６３μｍ、０．７６μｍ＜Ｔｒ５≦０．８０μｍ、・・・、（・・・は繰り返しを意味する）を満たす、Ｔｒ１、Ｔｒ２、Ｔｒ３、Ｔｒ４、Ｔｒ５、・・・、となる。
【０１４９】
次に、Ｌ→Ｈ（ｎ１＞ｎ＞ｎ２）の特性を有する情報記録媒体において、例えば、各屈折率が、ｎ＝１．５５、ｎ１＝１．６０、ｎ２＝１．４６である場合、各反射率は、図１５Ａにそれぞれ点線、実線で示されるように正弦波状に周期的に変化を示すことが確認された。この情報記録媒体はＬ→Ｈの特性を有するため、未記録領域２４の最大反射率はｒ１ｍａｘ＝０．３６％であるが、記録ピット５である記録済領域２３での反射率は最大値ｒ１ｍａｘ＝０．８３％に増加する（最小値はいずれも０％である）。そして、図１５Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。
【０１５０】
従って、本実施の形態においても、実施の形態１と同様に、記録済領域２３における再生光の反射率が、最大反射率の０．７倍以上得られる好ましい記録膜の膜厚は、式（４）を満たす範囲となる。
【０１５１】
（ｐ−０．３６９）λ１／（４ｎ１）≦ｔ≦（ｐ＋０．３６９）λ１／（４ｎ１）    （４）
具体的な記録層の膜厚は、例えば、図１５Ａに横方向の矢印で示された、Ｔａ、Ｔｂ、Ｔｃ、・・・、（・・・は繰り返し意味する）の範囲で、０．０５μｍ≦Ｔａ≦０．１１μｍ、０．２２μｍ≦Ｔｂ≦０．２８μｍ、０．３８μｍ≦Ｔｃ≦０．４５μｍ、０．５５μｍ≦Ｔｄ≦０．６１μｍ、０．７２μｍ≦Ｔｅ≦０．７８μｍ、・・・、である。
【０１５２】
以上の結果を考え合わせると、Ｌ→Ｈ（ｎ１＞ｎ＞ｎ２）特性を有する情報記録媒体において、良好な再生信号強度（最大値の０．７倍以上）が確保され、かつ、未記録領域２４のλ２に対する反射率がλ１に対する反射率よりも小さくなる範囲である。すなわち、Ｔ１、Ｔ２、Ｔ３、・・・、で表される範囲と、Ｔａ、Ｔｂ、Ｔｃ、・・・、で表される範囲とを同時に満たす膜厚の範囲が望ましい。具体的には、両膜厚の範囲を同時に満たすより好ましい範囲の膜厚は、図１５Ａの横方向の矢印で示された、膜厚が小さい方から順に、例えば、０．０５μｍ≦Ｔｒ１＜０．１０μｍ、０．２２μｍ≦Ｔｒ２≦０．２８μｍ、０．３８μｍ＜Ｔｒ３≦０．４５μｍ、０．５７μｍ＜Ｔｒ４≦０．６１μｍ、０．７６μｍ＜Ｔｒ５≦０．７８μｍ、・・・、（・・・は繰り返し意味する）を満たす、Ｔｒ１、Ｔｒ２、Ｔｒ３、Ｔｒ４、Ｔｒ５、・・・、となる。
【０１５３】
なお、本実施の形態の記録光波長及び再生光波長の範囲内であっても、波長や屈折率の組み合わせでより好ましい膜厚の範囲が異なることは言うまでもない。
【０１５４】
また、本実施の形態の情報記録媒体も製造の点から、Ｈ→ＬとＬ→Ｈのどちらの特性を有する情報記録媒体も、記録層の膜厚は、例えば、０．６μｍ以下とある程度薄い方が作りやすい。このため、記録層１の膜厚の範囲は、上記に述べ、図１４Ａ及び図１５Ａに示された、Ｔｒ１、Ｔｒ２、Ｔｒ３、またはＴｒ４の辺りに設定することが好ましい。
【０１５５】
また、本実施の形態の記録光及び再生光のように、再生光波長λ１が０．４８μｍ≦λ１≦０．５８μｍを満たし、記録光波長λ２が０．６μｍ≦λ２≦０．７μｍを満たす関係の場合には、Ｈ→ＬまたはＬ→Ｈの特性を有する情報記録媒体のどちらであっても、図１２、及び図１３（λ１＝０．５３２μｍ、λ２＝０．６６μｍ）に示されるように、特に、Ｔ２（ｔ２〜ｔ３）とＴ３（ｔ４〜ｔ５）、すなわち、式（２）におけるｉが１または２の範囲において、実線で示されたλ２に対する未記録領域２４の反射率は、点線で示されたλ１に対する未記録領域２４の反射率よりも大幅に小さくできることが理解される。例えば、記録層１の膜厚が、Ｔ２の領域の３λ１／（４ｎ）＝０．２６μｍに設定された場合（この膜厚は、前述した、より好ましい記録層１の膜厚Ｔｒ２に含まれる）、λ１に対する未記録領域２４の反射率は、Ｈ→Ｌの情報記録媒体が、０．３２％、Ｌ→Ｈの情報記録媒体が、０．３６％となる。これに対し、λ２に対する未記録領域２４の反射率は、Ｈ→Ｌの情報記録媒体が、０．１２％、Ｌ→Ｈの情報記録媒体が、０．１３％と小さくなる。このように、いずれの場合でもλ２に対する未記録領域２４の反射率がλ１に対する未記録領域の反射率より顕著に小さい情報記録媒体が得られる。
【０１５６】
また、記録層１の膜厚が、Ｔ3の領域の、例えば、５λ１／（４ｎ）＝０．４３μｍに設定された場合（この膜厚は、前述した、より好ましい記録層１の膜厚Ｔｒ３の範囲に含まれる）、λ１に対する未記録領域２４の反射率は、Ｈ→Ｌの情報記録媒体が、０．３２％、Ｌ→Ｈの情報記録媒体が、０．３６％となる。これに対し、λ２に対する未記録領域２４の反射率は、Ｈ→Ｌの情報記録媒体が、０．０００７％、Ｌ→Ｈの情報記録媒体が、０．０００８％と非常に小さくなる。このように、いずれの場合でも再生光の光量の低下に比べて記録光の光量の低下が大幅に抑えられた情報記録媒体が得られる。なお、より好ましい膜厚の範囲は波長や屈折率の組み合わせで異なることは言うまでもない。
【０１５７】
本実施の形態の情報記録媒体の製造方法や光学情報記録再生装置は実施の形態１で説明された構成と同様のものが使用される。
【０１５８】
さらに、本実施の形態においても、実施の形態１と同様に、記録時に、記録光と再生光の両方を出射させて、再生光を所望の記録層に集光してその反射光を利用してフォーカスサーボを行なってもよい。このとき、λ２に対する反射率が、例えば、０．０１％以下と小さくなる膜厚は、実施の形態１と同様に、式（５）を満たす範囲となる。
【０１５９】
（ｑ−０．１０４）λ２／（４ｎ）≦ｔ≦（ｑ＋０．１０４）λ２／（４ｎ）    （５）
従って、再生光波長が０．４８μｍ≦λ１≦０．５８μｍを満たし、記録光波長が０．６μｍ≦λ２≦０．７μｍを満たす場合、例えば、ｑ＝４、すなわち以下の式（９）を満たす範囲の膜厚ｔを有する記録層が好ましい。
【０１６０】
３．９０λ２／（４ｎ）≦ｔ≦４．１０λ２／（４ｎ）  （９）
例えば、上記で説明された屈折率ｎを有する記録層の場合、Ｈ→ＬとＬ→Ｈのどちらの特性を有する情報記録媒体においても、式（９）を満たす記録層の膜厚の範囲は、０．４１μｍ≦ｔ≦０．４４μｍの範囲となる。この膜厚の範囲は、前述した図１４Ａ、及び図１５Ａで示されたより好ましい膜厚Ｔｒ３の範囲内に含まれる。
【０１６１】
（実施の形態４）
次に、本発明の実施の形態４の情報記録媒体が説明される。実施の形態４は、記録光波長λ２よりも短い再生光波長λ１が使用される点は実施の形態１と同様であるが、再生光波長が０．３５μｍ≦λ１≦０．４５μｍを満たし、記録光波長が０．４８μｍ≦λ１≦０．５８μｍを満たす記録光及び再生光が利用される点で異なる。このような波長を有する光源としては、具体的には、例えば、λ１＝０．４０５μｍの半導体レーザ、及びλ２＝０．５３２μｍのＮｄ：ＹＡＧ−ＳＨＧレーザが挙げられる。
【０１６２】
図１６から図１９は、本実施の形態４の情報記録媒体を詳細に説明する図面である。図１６Ａ及び図１６Ｂは、本発明の実施の形態４に係る情報記録媒体の記録層の膜厚と、記録層の未記録領域での再生光及び記録光の反射率との関係の一例を示している。図１７Ａ及び図１７Ｂは、本発明の実施の形態４に係る情報記録媒体の記録層の膜厚と、記録層の未記録領域での再生光及び記録光の反射率との関係の他の一例を示している。図１８Ａは、図１６Ａの情報記録媒体の記録層の膜厚と、記録層の未記録領域及び記録済領域での再生光の反射率との関係を示しており、図１８Ｂは、図１６Ａの情報記録媒体の記録層の膜厚と、記録層の未記録領域及び記録済領域での記録光の反射率との関係を示している。図１９Ａは、図１７Ａの情報記録媒体の記録層の膜厚と、記録層の未記録領域及び記録済領域での再生光の反射率との関係を示しており、図１９Ｂは、図１７Ａの情報記録媒体の記録層の膜厚と、記録層の未記録領域及び記録済領域での記録光の反射率との関係を示している。
【０１６３】
まず、実施の形態１の情報記録媒体と同様に、Ｈ→Ｌ（ｎ＜ｎ１＜ｎ２）の特性を有する情報記録媒体において、例えば、各屈折率が、ｎ＝１．５５、ｎ１＝１．６０、ｎ２＝１．６４である場合、図１６Ａ及び図１６Ｂの点線及び実線に示されるように、λ１（０．４０５μｍ）とλ２（０．５３２μｍ）に対する未記録領域２４の反射率は、実施の形態１と同様の正弦波状の周期的な変化を示すことが確認された。この反射率の変位は実施の形態１と同じ、Ｒ１（ｔ）＝ｒ１ｍａｘ［１−ｃｏｓ（４ｎπｔ／λ１）］／２、Ｒ２（ｔ）＝ｒ２ｍａｘ［１−ｃｏｓ（４ｎπｔ／λ２）］／２で表される。そして、最大反射率は、ｒ１ｍａｘ＝ｒ２ｍａｘ＝０．３２％、最小反射率は、ｒ１ｍｉｎ＝ｒ２ｍｉｎ＝０％である。
【０１６４】
次に、Ｌ→Ｈ（ｎ１＞ｎ＞ｎ２）の特性を有する情報記録媒体において、例えば、各屈折率が、例えば、ｎ＝１．５５、ｎ１＝１．６０、ｎ２＝１．４６である場合、図１７Ａ及び図１７Ｂの点線及び実線に示されるように、実施の形態１と同様の正弦波状の周期的な変化を示すことが確認された。すなわち、それぞれ、Ｒ１（ｔ）＝ｒ１ｍａｘ［１−ｃｏｓ（４ｎπｔ／λ１）］／２、Ｒ２（ｔ）＝ｒ２ｍａｘ［１−ｃｏｓ（４ｎπｔ／λ２）］／２で表される。ここで、最大反射率は、ｒ１ｍａｘ＝ｒ２ｍａｘ＝０．３６％、最小反射率は、ｒ１ｍｉｎ＝ｒ２ｍｉｎ＝０％である。
【０１６５】
従って、図１６Ｂ及び図１７Ｂに示されるように、点線で示される記録層の膜厚に対する記録層の未記録領域におけるλ１の反射率の変位Ｒ１（ｔ）が、実線で示される記録層の膜厚に対する記録層の未記録領域におけるλ２の反射率の変位Ｒ２（ｔ）より大きくなる膜厚の範囲であれば、本実施の形態の再生光波長及び記録光波長が使用される場合に、λ２に対する未記録領域の反射率が、λ１に対する未記録領域の反射率よりも小さくなる。すなわち、実施の形態１と同様に、式（１）を満たす記録層の膜厚であれば、フォーカスサーボ用の反射光を確保しつつ、高精度に良好な記録再生が行うことができる。
【０１６６】
両反射率曲線の交点における膜厚ｔｉは、どちらの場合においても同じで、ｔ０＝０μｍ、ｔ１＝０．０７μｍ、ｔ２＝０．１５μｍ、ｔ３＝０．２２μｍ、ｔ４＝０．３０μｍ、ｔ５＝０．３７μｍ、ｔ６＝０．４５μｍ、ｔ７＝０．５２μｍ、ｔ８＝０．５５μｍ、ｔ９＝０．５９μｍ、・・・、である。従って、点線で示されたλ１に対する反射率曲線が、実線で示されたλ２に対する反射率曲線より大きくなる記録層の膜厚の範囲は、図１６Ｂと図１７Ｂにそれぞれ横方向の矢印で示された、Ｔ１、Ｔ２、Ｔ３、・・・、の範囲である。ｔｉを用いて表される各範囲は、実施の形態１における式（２）の条件と同じように、ｔ０＜Ｔ１＜ｔ１、ｔ２＜Ｔ２＜ｔ３、ｔ４＜Ｔ３＜ｔ５、ｔ６＜Ｔ４＜ｔ７、・・・、となる。
【０１６７】
次に、記録層１に記録ピット５が記録され、再生される場合についても、実施の形態１の場合と同様に説明される。すなわち、Ｈ→Ｌ（ｎ＜ｎ１＜ｎ２）の特性を有する情報記録媒体において、例えば、各屈折率が、ｎ＝１．５５、ｎ１＝１．６０、ｎ２＝１．６４の場合、λ１に対する未記録領域２４及び記録済領域２３の各反射率は、図１８Ａにそれぞれ点線及び実線で示されるように正弦波状に周期的な変化を示すことが確認された。この情報記録媒体はＨ→Ｌの特性を有するため、未記録領域２４における最大反射率はｒ１ｍａｘ＝０．３２％であるが、記録ピット５である記録済領域２３での反射率は最大値ｒ１ｍａｘ＝０．０６％に低下する（最小値はいずれも０％である）。そして、図１８Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。
【０１６８】
従って、本実施の形態においても、実施の形態１と同様に、未記録領域２４における再生光の反射率が、最大反射率の０．７倍以上得られる好ましい記録膜の膜厚は、式（３）を満たす範囲となる。
【０１６９】
（ｐ−０．３６９）λ１／（４ｎ）≦ｔ≦（ｐ＋０．３６９）λ１／（４ｎ）    （３）
具体的な記録層の膜厚は、例えば、図１８Ａに横方向の矢印で示された、０．０４μｍ≦Ｔａ≦０．０９μｍ、０．１７μｍ≦Ｔｂ≦０．２２μｍ、０．３０μｍ≦Ｔｃ≦０．３５μｍ、０．４３μｍ≦Ｔｄ≦０．４８μｍ、０．５６μｍ≦Ｔｅ≦０．６１μｍ、・・・、である。
【０１７０】
以上の結果を考え合わせると、本実施の形態のＨ→Ｌ（ｎ＜ｎ１＜ｎ２）の特性を有する情報記録媒体において、より好ましい各記録層１の膜厚の範囲は、実施の形態１と同様に、未記録領域２４のλ２に対する反射率がλ１に対する反射率よりも小さくなるＴ１、Ｔ２、Ｔ３、・・・、で表される範囲と、良好な再生信号強度（最大値の０．７倍以上）が確保できるＴａ、Ｔｂ、Ｔｃ、・・・、で表される範囲とを同時に満たす範囲となる。具体的に、両膜厚の範囲を同時に満たすより好ましい膜厚は、図１８Ａの横方向の矢印で示された、膜厚が小さい方から順に、例えば、０．０４μｍ≦Ｔｒ１＜０．０７μｍ、０．１７μｍ≦Ｔｒ２＜０．２２μｍ、０．３０μｍ＜Ｔｒ３≦０．３５μｍ、０．４５μｍ＜Ｔｒ４≦０．４８μｍ、０．５６μｍ≦Ｔｒ５＜０．５９μｍ、・・・、（・・・は繰り返し意味する）を満たす、Ｔｒ１、Ｔｒ２、Ｔｒ３、Ｔｒ４、Ｔｒ５、・・・、となる。
【０１７１】
次に、Ｌ→Ｈ（ｎ１＞ｎ＞ｎ２）の特性を有する情報記録媒体において、例えば、各屈折率が、ｎ＝１．５５、ｎ１＝１．６０、ｎ２＝１．４６である場合、λ１に対する未記録領域２４及び記録済領域２３の反射率は、図１９Ａにそれぞれ点線、実線で示されるように正弦波状に周期的な変化を示すことが確認された。この情報記録媒体はＬ→Ｈの特性を有するため、未記録領域２４の最大反射率はｒ１ｍａｘ＝０．３６％であるが、記録ピット５である記録済領域２３での反射率は最大値ｒ１ｍａｘ＝０．８３％に増加する（最小値はいずれも０％である）。そして、図１９Ａに示されるように、λ１に対する未記録領域２４の反射率が最大値を示す記録層１の膜厚は、任意の正の奇数ｐを用いて、ｐλ１／（４ｎ）で表され、λ１に対する記録済領域２３の反射率が最大値を示す記録層の膜厚は、ｐλ１／（４ｎ１）で表わされる。
【０１７２】
従って、本実施の形態においても、実施の形態１と同様に、記録済領域２３における再生光の反射率が、最大反射率の０．７倍以上得られる好ましい記録膜の膜厚は、式（４）を満たす範囲となる。
【０１７３】
（ｐ−０．３６９）λ１／（４ｎ１）≦ｔ≦（ｐ＋０．３６９）λ１／（４ｎ１）    （４）
具体的な記録層の膜厚は、例えば、図１９Ａに横方向の矢印で示された、Ｔａ、Ｔｂ、Ｔｃ、・・・、（・・・は繰り返し意味する）の範囲で、０．０４μｍ≦Ｔａ≦０．０９μｍ、０．１７μｍ≦Ｔｂ≦０．２１μｍ、０．２９μｍ≦Ｔｃ≦０．３４μｍ、０．４２μｍ≦Ｔｄ≦０．４７μｍ、０．５５μｍ≦Ｔｅ≦０．５９μｍ、０．６７μｍ≦Ｔｆ≦０．７２μｍ、・・・、である。
【０１７４】
以上の結果を考え合わせると、Ｌ→Ｈ（ｎ１＞ｎ＞ｎ２）の特性を有する情報記録媒体において、より好ましい各記録層１の膜厚の範囲は、良好な再生信号強度（最大反射率の０．７倍以上）が確保され、かつ、未記録領域２４のλ２に対する反射率がλ１に対する反射率よりも小さくなる範囲である。すなわち、Ｔ１、Ｔ２、Ｔ３、・・・、で表される範囲と、Ｔａ、Ｔｂ、Ｔｃ、・・・、で表される範囲とを同時に満たす膜厚の範囲が望ましい。具体的には、両膜厚の範囲を同時に満たすより好ましい各記録層１の膜厚は、図１９Ａの横方向の矢印で示された、膜厚が小さい方から順に、例えば、０．０４μｍ≦Ｔｒ１＜０．０７μｍ、０．１７μｍ≦Ｔｒ２≦０．２１μｍ、０．３０μｍ＜Ｔｒ３≦０．３４μｍ、０．４５μｍ＜Ｔｒ４≦０．４７μｍ、０．５５μｍ＜Ｔｒ５≦０．５９μｍ、・・・、（・・・は繰り返しを意味する）を満たす、Ｔｒ１、Ｔｒ２、Ｔｒ３、Ｔｒ４、Ｔｒ５、・・・、となる。
【０１７５】
なお、本実施の形態の記録光波長及び再生光波長の範囲内であっても、波長や屈折率の組み合わせでより好ましい膜厚の範囲が異なることは言うまでもない。
【０１７６】
また、上記各Ｔｒの範囲の中でも、製造の点から、Ｈ→ＬとＬ→Ｈのどちらの特性を有する情報記録媒体も、記録層の膜厚は例えば、０．６μｍ以下とある程度薄い方が作りやすい。このため、記録層１の膜厚の範囲は、上記の各結果と、図１８Ａ及び図１９Ａに示された、Ｔｒ１、Ｔｒ２、Ｔｒ３、Ｔｒ４、またはＴｒ５の辺りに設定することが好ましい。
【０１７７】
また、本実施の形態の記録光及び再生光のように、再生光波長λ１が０．３５μｍ≦λ１≦０．４５μｍを満たし、記録光波長λ２が、０．４８μｍ≦λ１≦０．５８μｍを満たす関係の場合には、Ｈ→ＬまたはＬ→Ｈの特性を有する情報記録媒体のどちらであっても、図１６、及び図１７（λ１＝０．４０５μｍ、λ２＝０．５３２μｍ）に示されるように、特に、Ｔ２（ｔ２〜ｔ３）とＴ３（ｔ４〜ｔ５）、すなわち、式（２）におけるｉが１または２の範囲において、実線で示されたλ２に対する未記録領域２４の反射率は、点線で示されたλ１に対する未記録領域２４の反射率よりも大幅に小さくできることが理解される。例えば、記録層１の膜厚が、Ｔ２の領域の３λ１／（４ｎ）＝０．２０μｍに設定された場合（この膜厚は、前述した、より好ましい記録層１の膜厚Ｔｒ２に含まれる）、λ１に対する未記録領域２４の反射率は、Ｈ→Ｌの情報記録媒体が、０．３２％、Ｌ→Ｈの情報記録媒体が、０．３６％となる。これに対し、λ２に対する未記録領域２４の反射率は、Ｈ→Ｌの情報記録媒体が、０．０６％、Ｌ→Ｈの情報記録媒体が、０．０７％である。このように、いずれの場合でも、λ２に対する未記録領域２４の反射率がλ１に対する未記録領域の反射率より顕著に小さい情報記録媒体が得られる。
【０１７８】
また、記録層１の膜厚が、Ｔ３の範囲の、例えば、５λ１／（４ｎ）＝０．３３μｍに設定された場合（この膜厚は、前述した、より好ましい記録層１の膜厚Ｔｒ３の範囲に含まれる）、λ１に対する未記録領域２４の反射率は、Ｈ→Ｌの情報記録媒体が、０．３２％、Ｌ→Ｈの情報記録媒体が、０．３６％となる。これに対し、λ２に対する未記録領域２４の反射率は、どちらも、０．０３％と小さくなる。従って、再生光の光量の低下に比べて記録光の光量の低下は大幅に抑えられた情報記録媒体が得られる。なお、より好ましい膜厚の範囲は波長や屈折率の組み合わせで異なることは言うまでもない。
【０１７９】
本実施の形態の情報記録媒体の製造方法や光学情報記録再生装置は実施の形態１で説明された構成と同様のものが使用される。
【０１８０】
さらに、本実施の形態においても、実施の形態１と同様に、記録時に、記録光と再生光の両方を出射させて、再生光を所望の記録層に集光してその反射光を利用してフォーカスサーボを行なってもよい。このとき、λ２に対する反射率が、例えば、０．０１％以下と小さくなる膜厚は、実施の形態１と同様に、式（５）を満たす範囲となる。
【０１８１】
（ｑ−０．１０４）λ２／（４ｎ）≦ｔ≦（ｑ＋０．１０４）λ２／（４ｎ）    （５）
従って、再生光波長が０．３５μｍ≦λ１≦０．４５μｍを満たし、記録光波長が０．４８μｍ≦λ１≦０．５８μｍを満たす記録光及び再生光が使用される場合、例えば、ｑ＝２、すなわち、以下の式（１０）を満たす範囲の膜厚ｔを有する記録層が好ましい。
【０１８２】
１．９０λ２／（４ｎ）≦ｔ≦２．１０λ２／（４ｎ）    （１０）
例えば、上記で説明された屈折率ｎを有する記録層の場合、Ｈ→ＬとＬ→Ｈのどちらの特性を有する情報記録媒体においても、式（１０）を満たす記録層の膜厚の範囲は、０．１６μｍ≦ｔ≦０．１８μｍとなる。この膜厚の範囲で、前述した図１８Ａ、及び図１９Ａで示されたより好ましい膜厚の範囲Ｔｒ２と共通する範囲は、Ｈ→Ｌ、Ｌ→Ｈのどちらの特性を有する情報記録媒体においても、０．１７μｍ≦ｔ≦０．１８μｍとなる。
【０１８３】
あるいは、本実施の形態の場合、ｑ＝４、すなわち、以下の式（１１）を満たす範囲の膜厚ｔを有する記録層が好ましい。
【０１８４】
３．９０λ２／（４ｎ）≦ｔ≦４．１０λ２／（４ｎ）    （１１）
この場合、上記記録層の屈折率で、式（１１）を満たす膜厚の範囲は、０．３３μｍ≦ｔ≦０．３５μｍとなる。この膜厚の範囲で、図１８Ａあるいは図１９Ａに示されたより好ましい膜厚Ｔｒ３の範囲と共通する範囲は、Ｈ→Ｌの情報記録媒体では、０．３３μｍ≦ｔ≦０．３５μｍで、Ｌ→Ｈの情報記録媒体では、０．３３μｍ≦ｔ≦０．３４μｍの範囲となる。
【０１８５】
なお、上記の実施の形態では、いずれも記録層の未記録領域の屈折率ｎが記録済領域の屈折率ｎ１より小さい場合について説明されたが、逆にｎ＞ｎ１の場合においても同様に本発明が適用される。すなわち、ジアリールエテンの閉環体が未記録領域として、その開環体が記録済領域として利用される場合、未記録領域の屈折率ｎは記録済領域ｎ１より大きくなる。この場合、中間層の屈折率ｎ２に対して、Ｈ→Ｌの情報記録媒体は、ｎ２＜ｎ１＜ｎの関係を、Ｌ→Ｈの情報記録媒体は、ｎ１＜ｎ＜ｎ２の関係を満足することが好ましい。
【０１８６】
以上、実施の形態１から実施の形態４の情報記録媒体及びそれを記録再生する光学情報記録再生装置について説明されたが、本発明はこれらの実施の形態に限定されるものではなく、それぞれの実施の形態の情報記録媒体及び光学情報記録再生装置との構成を組み合わせた情報記録媒体及び光学情報記録再生装置も本発明に含まれ、同様の効果を奏することができる。また、上記の情報記録媒体は追記型以外に書き換え型も含まれる。さらに、情報が記録された情報記録媒体であれば、再生のみを行なう光学情報再生装置にも適用できることは言うまでもない。
【０１８７】
なお、記録光波長に対する記録層の未記録領域の反射率が、再生光波長に対する記録層の未記録領域の反射率よりも小さいことを確認するには、中間層が両波長に対して実質的に透明である場合、未記録の情報記録媒体に、記録光と再生光をそれぞれ入射して各透過率を測定し、記録光に対する透過率が高ければ、上記関係を満たしているとみなせる。
【０１８８】
また、上記実施の形態で用いた対物レンズとコリメータレンズ、検出レンズは便宜上名付けたものであり、一般にいうレンズと同じである。
【０１８９】
さらに、上記実施の形態はいずれも基板の片面のみに記録部を有する情報記録媒体について説明されたが、本発明は基板上に記録部を有する２つの基板が接合された基板の両面に記録部を有する情報記録媒体にも適用可能である。
【０１９０】
またさらに、上記実施の形態においては、情報記録媒体として光ディスクを例に挙げて説明されたが、同様の情報記録再生装置で厚みや記録密度など複数の仕様の異なる媒体が再生されるように設計されたカード状やドラム状、テープ状の製品への適用も本発明の範囲に含まれる。
【産業上の利用可能性】
【０１９１】
本発明によれば、情報ビットである記録ピットを３次元的に記録可能な情報記録媒体において、フォーカスサーボを行いながら、対物レンズから離れた下層の記録層に対しても良好な記録及び／または再生が可能な情報記録媒体が提供される。
【０１９２】
【図面の簡単な説明】
【図１】図１は、本発明に係る情報記録媒体の構成と記録ピットを記録／再生する様子を示す説明図である。
【図２】図２Ａは、本発明の実施の形態１に係る情報記録媒体の記録層の膜厚と、記録層の未記録領域での再生光及び記録光の反射率との関係の一例を示す図面であり、図２Ｂは、図２Ａにおいて、記録層の未記録領域での記録光の反射率が、再生光の反射率より低くなる記録層の膜厚の範囲を示す図面である。
【図３】図３Ａは、本発明の実施の形態１に係る情報記録媒体の記録層の膜厚と、記録層の未記録領域での再生光及び記録光の反射率との関係の他の一例を示す図面であり、図３Ｂは、図３Ａにおいて、記録層の未記録領域での記録光の反射率が、再生光の反射率より低くなる記録層の膜厚の範囲を示す図面である。
【図４】図４Ａは、図２Ａの情報記録媒体の記録層の膜厚と、記録層の未記録領域及び記録済領域での再生光の反射率との関係を示す図面であり、図４Ｂは、図２Ａの情報記録媒体の記録層の膜厚と、記録層の未記録領域及び記録済領域での記録光の反射率との関係を示す図面である。
【図５】図５Ａは、図３Ａの情報記録媒体の記録層の膜厚と、記録層の未記録領域及び記録済領域での再生光の反射率との関係を示す図面であり、図５Ｂは、図３Ａの情報記録媒体の記録層の膜厚と、記録層の未記録領域及び記録済領域での記録光の反射率との関係を示す図面である。
【図６】図６は、本発明の実施の形態１に係る情報記録媒体の製造工程を示す図面である。
【図７】図７は、本発明の実施の形態１に係る光学情報記録再生装置の構成と情報記録媒体に信号を記録／再生する状態を示す図面である。
【図８】図８Ａは、本発明の実施の形態２に係る情報記録媒体の記録層の膜厚と、記録層の未記録領域での再生光及び記録光の反射率との関係の一例を示す図面であり、図８Ｂは、図８Ａにおいて、記録層の未記録領域での記録光の反射率が、再生光の反射率より低くなる記録層の膜厚の範囲を示す図面である。
【図９】図９Ａは、本発明の実施の形態２に係る情報記録媒体の記録層の膜厚と、記録層の未記録領域での再生光及び記録光の反射率との関係の他の一例を示す図面であり、図９Ｂは、図９Ａにおいて、記録層の未記録領域での記録光の反射率が、再生光の反射率より低くなる記録層の膜厚の範囲を示す図面である。
【図１０】図１０Ａは、図８Ａの情報記録媒体の記録層の膜厚と、記録層の未記録領域及び記録済領域での再生光の反射率との関係を示す図面であり、図１０Ｂは、図８Ａの情報記録媒体の記録層の膜厚と、記録層の未記録領域及び記録済領域での記録光の反射率との関係を示す図面である。
【図１１】図１１Ａは、図９Ａの情報記録媒体の記録層の膜厚と、記録層の未記録領域及び記録済領域での再生光の反射率との関係を示す図面であり、図１１Ｂは、図９Ａの情報記録媒体の記録層の膜厚と、記録層の未記録領域及び記録済領域での記録光の反射率との関係を示す図面である。
【図１２】図１２Ａは、本発明の実施の形態３に係る情報記録媒体の記録層の膜厚と、記録層の未記録領域での再生光及び記録光の反射率との関係の一例を示す図面であり、図１２Ｂは、図１２Ａにおいて、記録層の未記録領域での記録光の反射率が、再生光の反射率より低くなる記録層の膜厚の範囲を示す図面である。
【図１３】図１３Ａは、本発明の実施の形態３に係る情報記録媒体の記録層の膜厚と、記録層の未記録領域での再生光及び記録光の反射率との関係の他の一例を示す図面であり、図１３Ｂは、図１３Ａにおいて、記録層の未記録領域での記録光の反射率が、再生光の反射率より低くなる記録層の膜厚の範囲を示す図面である。
【図１４】図１４Ａは、図１２Ａの情報記録媒体の記録層の膜厚と、記録層の未記録領域及び記録済領域での再生光の反射率との関係を示す図面であり、図１４Ｂは、図１２Ａの情報記録媒体の記録層の膜厚と、記録層の未記録領域及び記録済領域での記録光の反射率との関係を示す図面である。
【図１５】図１５Ａは、図１３Ａの情報記録媒体の記録層の膜厚と、記録層の未記録領域及び記録済領域での再生光の反射率との関係を示す図面であり、図１５Ｂは、図１３Ａの情報記録媒体の記録層の膜厚と、記録層の未記録領域及び記録済領域での記録光の反射率との関係を示す図面である。
【図１６】図１６Ａは、本発明の実施の形態４に係る情報記録媒体の記録層の膜厚と、記録層の未記録領域での再生光及び記録光の反射率との関係の一例を示す図面であり、図１６Ｂは、図１６Ａにおいて、記録層の未記録領域での記録光の反射率が、再生光の反射率より低くなる記録層の膜厚の範囲を示す図面である。
【図１７】図１７Ａは、本発明の実施の形態４に係る情報記録媒体の記録層の膜厚と、記録層の未記録領域での再生光及び記録光の反射率との関係の他の一例を示す図面であり、図１７Ｂは、図１７Ａにおいて、記録層の未記録領域での記録光の反射率が、再生光の反射率より低くなる記録層の膜厚の範囲を示す図面である。
【図１８】図１８Ａは、図１６Ａの情報記録媒体の記録層の膜厚と、記録層の未記録領域及び記録済領域での再生光の反射率との関係を示す図面であり、図１８Ｂは、図１６Ａの情報記録媒体の記録層の膜厚と、記録層の未記録領域及び記録済領域での記録光の反射率との関係を示す図面である。
【図１９】図１９Ａは、図１７Ａの情報記録媒体の記録層の膜厚と、記録層の未記録領域及び記録済領域での再生光の反射率との関係を示す図面であり、図１９Ｂは、図１７Ａの情報記録媒体の記録層の膜厚と、記録層の未記録領域及び記録済領域での記録光の反射率との関係を示す図面である。
【図２０】図２０は、従来の光学情報記録再生装置の構成と信号の記録／再生の様子を示す説明図である。
【図１】
0004712798.tif 000002
【図２】
0004712798.tif 000003
【図３】
0004712798.tif 000004
【図４】
0004712798.tif 000005
【図５】
0004712798.tif 000006
【図６】
0004712798.tif 000007
【図７】
0004712798.tif 000008
【図８】
0004712798.tif 000009
【図９】
0004712798.tif 000010
【図１０】
0004712798.tif 000011
【図１１】
0004712798.tif 000012
【図１２】
0004712798.tif 000013
【図１３】
0004712798.tif 000014
【図１４】
0004712798.tif 000015
【図１５】
0004712798.tif 000016
【図１６】
0004712798.tif 000017
【図１７】
0004712798.tif 000018
【図１８】
0004712798.tif 000019
【図１９】
0004712798.tif 000020
【図２０】
0004712798.tif 000021